(57)【要約】  ファスナー備品、ファスナー、ファスナーを含む着用品および携帯品（例えば、衣料品および鞄）と共に用いられるアラート装置を提供する。そのアラート装置は、使用者にファスナーの閉め忘れや嵌め忘れを気付かせるのに役立つ信号源（例えば、軟鉄で作られるベルを備えるつまみ）と、その信号源に結合可能な信号変更器（例えば、磁石を備えるつまみ）とを有する。それら信号源と信号変更器の各々は、ファスナー部品（例えば、スライド・ファスナーのスライダー）や、衣料品または鞄の開口周囲の布地等に取り付けられる。その開口がファスナーによって閉じられて、信号源と信号変更器とが相互に結合するとき、信号源の作動状態が変更される。【選択図】        図２Ｂ
2007535336.tif 000002
【特許請求の範囲】
【請求項１】
使用者に対してアラート指示を出すアラート装置であって、該装置は、物品を結び付ける（閉じる）ファスナー備品に組み込まれているか取り付けられており、
前記装置は、合わさったり離れたりすることの可能な、第１および第２の構成要素を備えており、該第１および第２の構成要素が合わさっているときに、該物品が結び付いた（閉じた）位置にあり、
該構成要素の少なくとも一方が、使用者に対してアラート指示を出すものとされ、該第１および第２の構成要素が相互に隣接するか近隣にあるとき、前記アラート指示が抑制される
アラート装置。
【請求項２】
前記構成要素の少なくとも一方が、前記アラート指示を出すのに、舌または玉を有するベルを含む請求項１に記載のアラート装置。
【請求項３】
該第１および第２の構成要素が相互に隣接するか近隣にあるとき、前記舌または玉の動きが抑制される請求項２に記載のアラート装置。
【請求項４】
該ファスナー備品が、閉じている物品において開口を結び付ける（閉じる）ためのもので、前記第１および第２の構成要素が、該開口を閉じるために合わさることが可能で、かつ該開口を開けるために離れることが可能である前記請求項のいずれかに記載のアラート装置。
【請求項５】
該ファスナー備品が、第１および第２の部材を結合させる（閉じ合わせる）ためのもので、前記第１および第２の構成要素が、前記第１および第２の部材を結び付けるために合わさることが可能で、かつ前記第１および第２の部材を外すために離れることが可能である請求項１、２または３に記載のアラート装置。
【請求項６】
前記構成要素の少なくとも一方が、磁力によって前記アラート指示を抑制する磁気手段を有する前記請求項のいずれかに記載のアラート装置。
【請求項７】
前記構成要素の少なくとも一方が、機械的な作用によって前記アラート指示を抑制する機械手段を有する請求項１乃至５のいずれかに記載のアラート装置。
【請求項８】
前記構成要素の一方が、前記アラート指示を出すのに、光、音、振動又はそれらの組み合わせのいずれかを発するように動作可能な電子装置を含む請求項１および４乃至７のいずれかに記載のアラート装置。
【請求項９】
前記構成要素の双方が、アラート指示を出すものされる前記請求項のいずれかに記載のアラート装置。
【請求項１０】
前記構成要素は、磁力によって接続し合える前記請求項のいずれかに記載のアラート装置。
【請求項１１】
前記構成要素は、面ファスナーまたはバックルによって接続し合える前記請求項のいずれかに記載のアラート装置。
【請求項１２】
前記構成要素の少なくとも一方が、着用品または携帯品に組み込まれているスライド・ファスナーのスライダーに接続される前記請求項のいずれかに記載のアラート装置。
【請求項１３】
前記第１の構成要素が第１のスライダーに接続され、かつ前記第２の構成要素が第２のスライダーに接続される請求項１２に記載のアラート装置。
【請求項１４】
前記第１の構成要素が、着用品または携帯品に組み込まれているスライド・ファスナーのスライダーに接続され、かつ前記第２の構成要素が、前記着用品または携帯品において、前記着用品または携帯品に対して固定される位置に配置される請求項１乃至１２のいずれかに記載のアラート装置。
【請求項１５】
前記スライド・ファスナーがジッパーである請求項１２、１３または１４に記載のアラート装置。
【請求項１６】
前記物品が、携帯品または着用品である前記請求項のいずれかに記載のアラート装置。
【請求項１７】
使用者に対してアラート指示を出すアラート装置であって、該装置は、物品の開口を閉じるファスナー備品に組み込まれているか取り付けられており、
前記装置は、前記開口を閉じるために合わさり、前記開口を開けるために離れることが可能な、第１および第２の構成要素を備えており、
該構成要素の少なくとも一方が、使用者に対してアラート指示を出すものとされ、該第１および第２の構成要素が相互に隣接するか近隣にあるとき、前記アラート指示が抑制される
アラート装置。
【請求項１８】
物品を結び付ける（閉じる）ファスナー備品に組み込まれるか取り付けられるかするための、使用者に対してアラート指示を出すアラート装置であって、
前記装置は、合わさったり離れたりすることの可能な、第１および第２の構成要素を備えており、該ファスナー備品に組み込まれるか取り付けられるかして、該第１および第２の構成要素が合わさっているときに、該物品が結び付いた（閉じた）位置にあり、
該構成要素の少なくとも一方が、使用者に対してアラート指示を出すものとされ、該第１および第２の構成要素が相互に隣接するか近隣にあるとき、前記アラート指示が抑制される
アラート装置。
【発明の詳細な説明】
【技術分野】
【０００１】
本発明は、ファスナー装置やファスナーと共に用いられるアラート装置に関し、より詳しくは、着用品や携帯品のファスナーと共に用いられるアラート装置であって、ファスナーの閉め忘れやファスナー部品の嵌め忘れを使用者に気付かせるのに役立つ前記装置に関する。
【背景技術】
【０００２】
衣料品や鞄は年々新しいデザインが発表されている。そういった衣料品や鞄の至る所にファスナーが用いられている。近年の生活においては、財布、身分証明書入れ、鍵、携帯電話、ノートパソコン、電子器具、手帳、種々のサービスに対応するカード等、外出時に持ち歩く小物の数は減ることが無く、衣料品や鞄等に付けられるポケットの数も増大している。
【０００３】
加えて、持ち歩く小物の紛失や落下を防ぐために、キーホルダー、首掛けストラップ、リスト・ストラップ等の各種ホルダーやストラップも広く普及している。このような着用品にも色々な形でファスナーが用いられており、衣料品、着用品、鞄、その他の携帯品に用いられるファスナーは、膨大な数に上る。もちろん、ファスナーの種類も多様なものとなっている。その結果、ファスナーを閉め忘れたり、ファスナー部品を嵌め忘れたりすることが多々発生している。
【０００４】
ファスナーを閉め忘れているか、嵌め忘れていると、だらしのない印象を他人に与えたり、スリを誘発したり、ポケットや鞄の中の物品を紛失したり、着用すべき物品を置き忘れる原因となったりする。特に、多数のファスナーがついているにもかかわらず、それらが持ち主の目に届き難いバックパック等では、こういった問題が顕著に起こり得る。しかしながら、着用品（例えば、衣料品）を身に付け、あるいは携帯品（例えば、鞄）を持ち運んでいる人に、ファスナーが開いていたり、外れていたりすることを気付かせる器具は存在していなかった。
【発明の開示】
【発明が解決しようとする課題】
【０００５】
本発明の目的は、ファスナーの閉め忘れやファスナー部品の嵌め忘れを使用者に気付かせるのに役立つ、ファスナー備品と共に用いられるアラート装置を提供することである。
【０００６】
ここで、本明細書において、「ファスナー」は、ジッパー等のスライド・ファスナー、面ファスナー、バックル、ボタン、フック、留め金(catch)、ベルトまたはストラップを用いたファスナー等を包括する。更には、開口の開け閉めに係わりをもつ蝶番等の部品の働きによって、閉められた状態が安定している開口を有する着用品および携帯品（特に、衣料品および鞄）は、本明細書においては、ファスナーで閉じられる着用品および携帯品とみなす。
【０００７】
「ファスナー」は、例えば、キーホルダーや服飾品を構成する場合のように、それ自体で着用品または携帯品として使用可能なものもあるが、多くは、他の構成要素を有する着用品や携帯品に組み込まれて使用される。そういった着用品や携帯品においては、「ファスナー」の開け閉めや、ファスナー部品の分離および結合に係わって、ファスナーと連動する部分が存在する。あるいは、ファスナー部品の取り付けに必要とされる部分も存在する。本明細書では、このような部分とファスナーとを一括して「ファスナーを含む系」と称する。
【０００８】
ここで、「ファスナーを含む系」に組み込まれる「ファスナー」の各々は、「ファスナーを含む系」への取り付け具を除いて、相互に結合可能な２つ以下の部品で構成されている。すなわち、各部品が更に２つ以上の部品で構成されていても、それらは有機的に組み立てられた上で「ファスナーを含む系」に組み込まれる。そうすると、スライド・ファスナーは、スライダーの数に関係なく１つの部品とみなされる。
【０００９】
本明細書においては、「ファスナー備品」が「ファスナー」または「ファスナーを含む系」に組み込まれても、「ファスナー」１つ当たりの「ファスナー」と「ファスナー備品」の部品数の合計が４を超えることはない。典型的には、この最大数４は、ファスナー部品の数２とファスナー備品の部品数２の合計である。ただし、各部品は、前述のように有機的に１つに組み立てられているものを言う。
【００１０】
本発明によると、好ましくは、「ファスナー備品」は、少なくとも部分的に「ファスナー」と一体化されるので、部品数の合計は３以内である。例えば、「ファスナー備品」および「ファスナー」が多数の部品からなる電子装置等を備える場合も、筐体等を用いて４つ以内（好ましくは、３つ以内）の部品に一体化した上で、「ファスナーを含む系」に取り付けなければならない。部品数の合計が４を超えるものは、本明細書に言う「ファスナー備品」の概念を逸脱している。もちろん、前述のとおり、「ファスナー」の最大部品数は２である。
【００１１】
「着用品」は、あらゆる種類の衣料品、服飾品に加え、キーホルダー、首掛けストラップ、リスト・ストラップ等、文字通り身に着けることが可能な全ての品目を含む。更に、「携帯品」は、文字通り携帯が可能な全ての品目であり、「鞄」を含む。何らかの携帯品が、ファスナーやホルダーによって「着用品」や「鞄」等の他の携帯品に取り付けられるならば、そのような携帯品は、本明細書で言う「ファスナーを備える携帯品」である。更に、「着用品」や「携帯品」は、動物に着用させ、あるいは、自転車や荷車等に取り付けるものも含む。
【００１２】
また、「鞄」は、ハンドバッグ、財布、ショルダーバッグ、クラッチバッグ、セカンドバッグ、トートバッグ、通学用鞄（スクールバッグ）、スーツケース、ポーチ、ポシェット、トランク、サック、バックパック、デイパック、リュックサック、ダッフルバッグ、サッチェル、ポートフォリオ、ブリーフケース、アタッシュケース等、中に物を入れる携帯用具の総称である。
【課題を解決するための手段】
【００１３】
本発明の一つの観点によって提供されるのは、使用者に対してアラート指示(alert indication)を出すアラート装置であって、該装置は、物品を結び付ける（閉じる）ファスナー備品に組み込まれているか取り付けられており、前記装置は、合わさったり離れたりすることの可能な、第１および第２の構成要素を備えており、該第１および第２の構成要素が合わさっているときに、該物品が結び付いた（閉じた）位置にあり、該構成要素の少なくとも一方が、使用者に対してアラート指示を出すものとされ、該第１および第２の構成要素が相互に隣接するか近隣にあるとき、前記アラート指示が抑制されるアラート装置である。
【００１４】
ここで、「アラート指示」とは、本発明に係わるファスナーまたはファスナー備品を有する着用品または携帯品の使用者に、ファスナーが開いていたり、外れていたりするという注意を喚起（アラート）するか、指示（表示）を行うかする信号である。
【００１５】
この指示または信号によって、着用品を身にまとっているか携帯品を持ち運んでいる使用者は、ファスナーが開いているか、ファスナー部品を嵌め忘れていることに気が付く。しかし、この指示または信号は、使用者を苛立たせる性質のものではなく、直ぐにでも信号を切りたくなるような通常の警告（アラーム）とは区別される。すなわち、この指示または信号が長時間発せられ続けても、使用者が不快な思いをすることはない。この指示または信号は、はっきりと注意を引くものではあるが、使用者や信号源の近くに居合わせた人に迷惑をかけるものではない。
【００１６】
好ましくは、前記構成要素の少なくとも一方が、前記アラート指示を出すのに、舌または玉を有するベルを含む。こうすると、アラート指示は、使用者が動くか、携帯品を動かすかするときにしか発せられない。ここで、「ベル(bell)」は、鐘(chime)やゴング(gong)等、複数の部材が打ち合って音を発するあらゆる器具を含む。また、動かすだけで音が出る装置は、本明細書におけるベルに含まれるものとする。逆に、電源を備えて音を発する電子装置は、本明細書におけるベルから除外する。
【００１７】
一つの目安として、アラート指示の音は、２０ｄＢから６０ｄＢの範囲内になければならない。例えば、継続して６０ｄＢを超えるような音は、電話の呼び出し音として使用可能な域に達しており、本発明のアラート指示には該当しない。ちなみに、各種防犯アラームは最低レベルでもおよそ８０ｄＢの音を発するが、そのようなものは、言うまでもなく本発明の信号と全く性質を異にする。
【００１８】
好ましくは、第１および第２の構成要素が相互に隣接するか近隣にあるとき、前記舌または玉の動きが抑制される。こうすると、第１および第２の構成要素が相互に隣接するか近隣にあるとき、舌または玉の動作状態が異なって、それらはベルを打ってアラート指示を出さなくなる。
【００１９】
好ましくは、ファスナー備品は、閉じている物品において開口を結び付ける（閉じる）ためのもので、前記第１および第２の構成要素は、該開口を閉じるために合わさることが可能で、かつ該開口を開けるために離れることが可能である。こうすると、開口が閉じていれば、第１および第２の構成要素は相互に隣接するか近隣にある。反対に、開口が開いていれば、第１および第２の構成要素は互に離れている。したがって、開口が開いているときにしか、例えば、鞄や衣料品のポケットが開いたままになっているときにしか、アラート指示は出されない。
【００２０】
あるいは、ファスナー備品は、第１および第２の部材を結合させる（閉じ合わせる）ためのもので、前記第１および第２の構成要素は、前記第１および第２の部材を結び付けるために合わさることが可能で、かつ前記第１および第２の部材を外すために離れることが可能である。こうすると、第１および第２の部材が結び付いていれば、第１および第２の構成要素が相互に隣接するか近隣にある。反対に、第１および第２の部材が離れていれば、第１および第２の構成要素も互に離れている。したがって、第１および第２の部材が離れているときにしか、例えば、鍵がキーリングから外されていたり、犬の首輪が引き紐(leash)から外されていたりするときにしか、アラート指示は出されない。
【００２１】
好ましくは、前記構成要素の少なくとも一方が、磁力によって前記アラート指示を抑制する磁気手段を有する。例えば、構成要素の一方が、磁石に引き付けられる材料を含んでいて、他方が、磁石であるか磁石を含んでいてもよく、あるいは、第１および第２の構成要素の双方が、各々磁石を含んでいてもよい。こうすると、構成要素を、物的に相互に接続しなくとも、アラート指示が抑制される。実際、構成要素を、相互に近接させるか近付ければ、磁力を作用させられる。利点として、これによって、構成要素は、例えば、鞄の側面のような材料の何れの側にでも配置できるものとなる。加えて、使用者は、構成要素を接続し合わせるために力を加える必要がなく、また、磁力は全方向に作用するので、第１および第２の構成要素を正確に位置合わせする必要もない。
【００２２】
あるいは、前記構成要素の少なくとも一方は、機械的な作用によって前記アラート指示を抑制する機械手段を有する。こうすると、第１および第２の構成要素を合わせるという単純な機械作用を用いて、アラート指示が抑制される。
【００２３】
あるいは、前記構成要素の一方が、前記アラート指示を出すのに、光、音、振動又はそれらの組み合わせのいずれかを発するように動作可能な電子装置を含む。この場合、そのような電子装置には、モーション・センサーを備えて、前述のベルのように動かされるときにしか信号を発しないようにするのが好ましい。
【００２４】
好ましくは、前記構成要素の双方が、アラート指示を出すものとされる。この場合、第１および第２の構成要素が合わさるとき、相互にアラート指示を抑制するように作用する。したがって、その２つの構成要素が相互に隣接するか近隣にあれば、何れの構成要素もアラート指示を発しない。その２つの構成要素が互に離れていれば、双方ともアラート指示を発する。こうすると、より大きなアラート指示を作り出すのに、第１および第２の構成要素のサイズを大きく増やすことが必要でなくなる。
【００２５】
好ましくは、前記構成要素は、磁力によって接続し合える。こうすると、構成要素が接続し合うのと、アラート指示を発するのが抑制されるのと、双方に磁力が用いられる。したがって、アラート装置は、簡素なデザインを有し、そうして安価に製造することができる。
【００２６】
好ましくは、前記構成要素は、面ファスナーまたはバックルによって接続し合える。こうすると、構成要素は、相互にしっかりと接続でき、例えば、機械クリップ、バックル、ベルクロ(Velcro)ファスナー（登録商標）（マジックテープ（登録商標））等においてファスナー装置と一体化できる。
【００２７】
好ましくは、前記構成要素の少なくとも一方が、着用品または携帯品に組み込まれているスライド・ファスナーのスライダーに接続される。
【００２８】
好ましくは、前記第１の構成要素が第１のスライダーに接続され、かつ前記第２の構成要素が第２のスライダーに接続される。そうして、第１および第２の構成要素は、双方のスライド・ファスナーが閉められているときにしか、相互に隣接したり近隣したりしない。
【００２９】
あるいは、前記第１の構成要素が、着用品または携帯品に組み込まれているスライド・ファスナーのスライダーに接続され、かつ前記第２の構成要素が、前記着用品または携帯品において、（前記着用品または携帯品に対して固）定（される）位置に配置される。例えば、本発明によるアラート装置は、着用品または携帯品の一つ以上のスライド・ファスナーに組み込むことができる。この場合、例えば、スライド・ファスナーのスライダーの各々に、第１の構成要素が接続され、かつ少なくとも一つの第２の構成要素が、その着用品または携帯品の定位置に備えられる。したがって、それらスライド・ファスナーの何れのものを閉じても、それぞれの第１の構成要素が、第２の構成要素まで、またはその近隣まで動かされるように、着用品または携帯品を構成することができる。
【００３０】
好ましくは、前記スライド・ファスナーはジッパーである。
【００３１】
好ましくは、前記物品は、携帯品または着用品である。こうすると、アラート装置は、衣料品、鞄、ブリーフケースその他の携帯品に組み込むことができ、それらの物品が閉め忘れられているとき、例えば、鞄や衣料品のポケットが誤って開いたままになっているならば、アラート指示を出すことができる。
【００３２】
本発明の更なる観点によって提供されるのは、使用者に対してアラート指示を出すアラート装置であって、該装置は、物品の開口を閉じるファスナー備品に組み込まれているか取り付けられており、前記装置は、前記開口を閉じるために合わさり、前記開口を開けるために離れることが可能な、第１および第２の構成要素を備えており、該構成要素の少なくとも一方が、使用者に対してアラート指示を出すものとされ、該第１および第２の構成要素が相互に隣接するか近隣にあるとき、前記アラート指示が抑制されるアラート装置である。
【００３３】
本発明の更なる観点によって提供されるのは、物品を結び付ける（閉じる）ファスナー備品に組み込まれるか取り付けられるかするための、使用者に対してアラート指示を出すアラート装置であって、前記装置は、合わさったり離れたりすることの可能な、第１および第２の構成要素を備えており、該ファスナー備品に組み込まれるか取り付けられるかして、該第１および第２の構成要素が合わさっているときに、該物品が結び付いた（閉じた）位置にあり、該構成要素の少なくとも一方が、使用者に対してアラート指示を出すものとされ、該第１および第２の構成要素が相互に隣接するか近隣にあるとき、前記アラート指示が抑制されるアラート装置である。
【００３４】
少なくとも構成要素の一方は、着用品または携帯品における既製のファスナーに取り付け可能であってもよい。そのような場合、構成要素の一方は、ファスナー部品または布地への取り付けを可能とするループまたは取り付け具を備えるか、布地に縫い付けるか貼り付けるかするための縫い代または糊代を有していてもよい。
【００３５】
ここで、ループとは、糸や細紐で構成される輪に加えて、金属、プラスチック、木材その他の材料からなる環状の部品を指す。更に、ループは、スナップフックや、可動部分が弾性体によって支持されるリング等、輪の一部が開いたり閉じたりするような機構を備えていてもよい。
【００３６】
「布地」は、織布、不織布、皮革、合成皮革、その他のシート状のものを含む。
【００３７】
ファスナー部品または布地への取り付け具とは、安全ピン、バッジ用のピン、ねじ、リベット、クリップ等を含む。更には、布地への取り付けを可能とする縫い代または糊代は、衣料品や鞄の一部となる帯やストラップであってもよい。第１および第２の構成要素は、例えば、物品において相互に向き合う、開口の第１および第２の側にそれぞれ取り付けられてもよい。そうすると、それらを離すことと隣接させるまたは近付ける動きが、ファスナーの開け閉めと同じになる。
【００３８】
ファスナー付き布地が、開口のカバーまたは開口を横切る帯（またはストラップ）を更に備えていて、そのカバーまたは帯の第１端が、開口の第１の側に取り付けられているかもしれない。そうすると、構成要素の一方が、開口の第２の側に取り付けられ、かつ構成要素の他方が、カバーまたは帯の第２端に取り付けられておればよい。
【００３９】
あるいは、ファスナー付き布地において、ファスナーが、開口を囲む布地の縁に取り付けられているスライド・ファスナーであってもよい。典型的には、構成要素の一方が、このスライド・ファスナーのスライダーに取り付けられており、構成要素の他方が、開口を囲む布地に取り付けられている。
【発明の効果】
【００４０】
本発明によるアラート装置は、既製のファスナー、着用品または携帯品に取り付けられるか、ファスナー、着用品または携帯品を製造する際の構成部品として用いられる。ファスナーの開閉状態または分離結合状態が、前述のようなアラート指示の有無または相違によって区別される。したがって、本発明によれば、身にまとっている着用品（例えば、衣料品）または持ち運んでいる携帯品（例えば、鞄）のファスナーの開閉状態または結合分離状態を、使用者が容易に認識することが可能となる。
【００４１】
特に、ファスナーが開いているか外れているときに注意が喚起(アラート)されるので、ファスナーが閉め忘れられたり、嵌め忘れられたりするのを防止するのに役立つ。また、閉じられた状態または結合された状態にあるファスナーが開けられると、その瞬間にアラート指示が発せられるので、スリの防止にも役立つ。更に、本発明によるファスナー備品やファスナーは、アラート指示を発する服飾品としても役立つ。以上のような、本発明によって得られる作用効果は、双方の構成要素が同時にアラート指示を発するように機能する場合に、より顕著になる。
【００４２】
また、本発明において、構成要素の一方が磁力によって構成要素の他方と結合可能であるときは、アラート指示源の構造を簡素化すること、例えばベルとすることが容易である。これは、第１および第２の構成要素に、磁石（および鉄）が備えられさえすればよいからである。更にこのとき、構成要素を接続し合わせるために、使用者が、力を加える必要もないし、精密な位置合わせをする必要もない。加えて、使用者は、第１および第２の構成要素を分離するには、それらを互に引き離しさえすればよい。
【００４３】
一方、第１および第２の構成要素によって、着用品または携帯品のファスナーが構成されているときは、ファスナーの開閉またはファスナー部品の分離結合と、第１および第２の構成要素の分離結合が確実に同時に行われるという効果がある。もちろん、第１および第２の構成要素を接続し合うまたは結合可能とする手段が、ファスナーとは別の部材から構成されている場合と比べて、全体の構造が簡略化されるという効果もある。
【発明を実施するための最良の形態】
【００４４】
以下、添付の図面を参照し、あくまでも例示として発明を説明する。
【実施例１】
【００４５】
図１Ａおよび図１Ｂは、本発明の第１の実施例によるファスナー備品の構成部品をそれぞれ示す。図１Ａを参照すると、ベル１０１が、底部にスリット１０５を有する本体１０２と玉１０３とから構成されている。ベル１０１を動かすと、玉１０３が、本体１０２内を自由に転がってベル１０１が音を立てる。スリット１０５の幅は、玉１０３の大きさに比べて充分に小さく、玉１０３の動きがスリット１０５によって大きく妨げられることは無い。もちろん、スリット１０５を通して玉１０３が外に出ることも無い。また、本体１０２と玉１０３は、いずれも軟鉄で作られている。
【００４６】
本体１０２の上部には穴があけられていて、ループ状の細紐１０４が通されている。これによって、ベル１０１は、ファスナーを含む系（例えば、スライド・ファスナーのスライダー）に取り付け可能である。
【００４７】
図１Ｂを参照すると、ベル１０１に結合可能なサイレンサー２０１が、本体２０２とフェライト磁石２０３とから構成されている。このサイレンサー２０１の本体２０２は、プラスチックで作られているが、ベル１０１の本体１０２と形状が類似している。本体２０２に収められている円柱形状のフェライト磁石２０３によって、サイレンサー２０１は、図１Ａのベル１０１と結合可能となる。ここで、フェライト磁石２０３は、側面および底面がキャップ形状の鉄製ヨーク２０５で覆われており、頂面に強い磁力を有する。この頂面が、本体２０２の一方の側の、極めて表面に近い位置に配置されている。
【００４８】
サイレンサー２０１がベル１０１に結合するとき、本体１０２と玉１０３が双方とも磁石２０３に吸引されて、動かされてもベル１０１はほとんど音を立てなくなる。前述の本体１０２と同様、本体２０２には穴が開けられていて、ループ状の細紐２０４が通されている。これによって、前述のベル１０１と同様、サイレンサー２０１は、ファスナーを含む系（例えば、スライド・ファスナーのスライダー）に取り付け可能である。
【００４９】
以上のように構成されるベル１０１とサイレンサー２０１は、ファスナーを含む系に適宜取り付けて使用される。この系においては、ファスナーが開いているか、ファスナー部品が分離しているとき、ベル１０１は音を立てことができる。逆に、ファスナーが閉じられるか、ファスナー部品が結合しておれば、ベル１０１とサイレンサー２０１が結合して音を立てない。このような系の一例が、以下に記述される第２の実施例によるスライド・ファスナーである。
【００５０】
ベル１０１の本体１０２およびサイレンサー２０１の本体２０２の形状について特に限定はなく、好みのデザインに従って構成されてよい。本体１０２および本体２０２が、類似の形状である必要も全く無い。
【００５１】
ベル１０１の本体１０２には、音を放出するためのスリット１０５が設けられているが、その形や、それが設けられる位置にも特に制限は無い。もちろん、複数のスリットが設けられていてもよく、またはスリット以外の形やパターンを有する穴が設けられていてもよい。すなわち、スリット１０５は、ベル１０１が好みの音を発するよう設計されてよい。スリット１０５を通すと玉１０３がサイレンサー２０１に強く吸引されるので、スリット１０５を本体１０２の側面に設けてもよい。
【００５２】
ベル１０１の玉１０３は、ほぼ球形であるが、形状が特に限定されるものではない。円筒形でもさいころ状その他の形状でもよい。ただし、本体１０２内を転がり易いという点で、玉１０３は、球形に近い形が好ましい。また、玉１０３は、糸で吊り下げられてもよく、あるいは、舌として、振り子のように動くように本体１０２内に取り付けられてもよい。
【００５３】
磁石２０３についても、永久磁石であればフェライト磁石に限られるものではない。フェライト磁石よりも強い磁力を有する、サマリウム磁石やネオジム磁石等の希土類磁石も、好適に用いることができる。サイレンサー２０１がベル１０１をある程度以上の力で吸引する限り、磁石２０３やヨーク２０５の大きさや形状は設計事項である。もちろん、ヨーク２０５が必須のものでもない。
【００５４】
例えば、ネオジム磁石をヨーク無しで用いれば、サイレンサー２０１の構造が簡素化され、製造が容易となる。更には、ネオジム磁石を使用することで、磁界を小さな領域に集中させ、不必要な磁界の広がりを抑制するのも容易となる。このような磁石を用いると、本体２０２のいずれの側にもベル１０１を吸引するサイレンサーを構成することも容易となる。もちろん、一つの磁石２０３ではなく複数の磁石が、サイレンサー２０１に備えられてもよい。
【００５５】
ベル１０１の本体１０２と玉１０３は、磁石に吸引される他の材料で作られてもよい。この第１の実施例において軟鉄が用いられているのは、長期の使用によって本体１０２と玉１０３が磁化されるのを防ぐためである。いうまでもなく、本体１０２と玉１０３が磁化されると、ベル１０１が機能を果たさなくなってしまう。
【００５６】
あるいは、本体１０２と玉１０３のいずれか一方のみが磁石に吸引される材料で作られてもよい。例えば、玉１０３がサイレンサー２０１に吸引されず、本体１０２のみが磁石に吸引されるものでもよい。ベル１０１の本体１０２がサイレンサー２０１と結合するだけで、ベル１０１の音は消えないまでも相当に異質なものとなるからである。
【００５７】
更に、ベル１０１の本体１０２と玉１０３のいずれか一方を、磁石を用いて構成し、サイレンサー２０１を、軟鉄または磁石で作ることも可能である。ただし、もちろん、本体１０２と玉１０３の双方がサイレンサー２０１の磁石に吸引される方が、サイレンサー２０１がベル１０１に結合したときの音の違いが大きいため、より好ましいといえる。
【００５８】
細紐１０４と２０４は、金属リングや両端にループを有するストラップ等と置き換えられてもよい。また、ベル１０１とサイレンサー２０１の一方が、衣料品や鞄のスライド・ファスナーのスライダー以外の部分、すなわち布地に取り付け可能であってもよい。特に、スライド・ファスナー以外のファスナーの開閉に対応して用いることができるように、ベル１０１とサイレンサー２０１の双方がそのようなファスナーの部品または布地に取り付け可能であってもよい。
【００５９】
そのために、細紐１０４および２０４の少なくとも一方は、安全ピン、バッジ用のピン、ねじ、リベット、クリップ等を備える部材と置き換えられてもよい。あるいは、細紐１０４および２０４の少なくとも一方は、衣料品や鞄等の布地に縫い付け可能または貼り付け可能となる、縫い代または糊代を備える部材と置き換えられてもよい。
【実施例２】
【００６０】
図２Ａおよび図２Ｂは、本発明の第２の実施例によるスライド・ファスナー３０１を示す。このスライド・ファスナー３０１には、前述の、図１Ａおよび図１Ｂにそれぞれ示されるようなファスナー備品の構成部品が取り付けられている。
【００６１】
スライド・ファスナー３０１には、２つのスライダー３０２および３０３が備えられている。これら２つのスライダー３０２および３０３が離れているときは、図２Ａに示されているように、スライド・ファスナー３０１は開けられていて、開口３０４を有する。反対に、これら２つのスライダー３０２および３０３が近づいているときは、図２Ｂに示されているように、スライド・ファスナー３０１は閉じられている。
【００６２】
このようなスライド・ファスナー３０１において、スライダー３０２には、細紐１０４によってベル１０１が取り付けられており、スライダー３０３には、細紐２０４によってサイレンサー２０１が取り付けられている。ここで、ベル１０１とサイレンサー２０１とは、それぞれスライド・ファスナー３０１のつまみ(pull-tab)として使用可能に設計されていることに注意する。あるいは、スライド・ファスナー３０１のスライダー３０２および３０３の一方または双方に、ベル１０１とサイレンサー２０１とに加えて、別途スライド・ファスナー３０１の開閉のためのつまみが備えられていてもよい。
【００６３】
図２Ａに示されているように、スライド・ファスナー３０１が開いているときには、ベル１０１は動かされるといつでも音を発する状態にある。しかし、図２Ｂに示されているように、スライド・ファスナー３０１が閉じているときには、磁石２０３の働きにより、ベル１０１は、サイレンサー２０１と結合していて、動かされても音を立てない。
【００６４】
以上のような構成のスライド・ファスナー３０１は、衣料品や鞄等の開口に取り付けられる。そうして、スライド・ファスナー３０１を閉め忘れていると、体を動かすときまたは鞄が運ばれるときにベル１０１が動かされて音を発し、その衣料品を身に付けている人、あるいは鞄の持ち主がその閉め忘れに気付くことになる。この第２の実施例においては、前述の第１の実施例のファスナー備品の変形例が適宜応用できる。
【実施例３】
【００６５】
図３は、本発明の第３の実施例による、ファスナー備品を複数個備えたバックパック４０１を示す。バックパック４０１には、収容部４０２が備えられているが、更に、バックパック４０１を背中に負うためのストラップが備わる側と反対の側に、２つのポケット４０３および４０４を有する。収容部４０２、ポケット４０３および４０４には、それぞれ、スライド・ファスナー３０１、３１１および３２１が取り付けられている。
【００６６】
スライド・ファスナー３０１は、図２Ａおよび図２Ｂを参照して前述したとおり、２つのスライダー３０２および３０３によって開閉可能である。そうして、スライダー３０２には、図１Ａに示されるようなベル１０１が取り付けられており、スライダー３０３には、図１Ｂに示されるようなサイレンサー２０１が取り付けられている。図３において、スライド・ファスナー３０１は閉められていて、ベル１０１とサイレンサー２０１とが結合している。
【００６７】
一方、スライド・ファスナー３１１および３２１には、スライダーが各々１つずつ取り付けられている。すなわち、スライダー３１２がスライド・ファスナー３１１に取り付けられており、スライダー３２２がスライド・ファスナー３２１に取り付けられている。ここで、スライダー３１２には、図１Ａに示されるようなベル１０１が取り付けられており、スライダー３２２には、図１Ｂに示されるようなサイレンサー２０１が取り付けられている。
【００６８】
スライド・ファスナー３１１および３２１を各々閉じるとき、スライダー３１２および３２２はいずれも、ポケット４０３および４０４が備えられるバックパック４０１の側面の中央に向けて動かされる。したがって、スライド・ファスナー３１１および３２１が双方とも閉じられるとベル１０１とサイレンサー２０１とが相互に結合する。図３には、そのように、スライド・ファスナー３１１のベル１０１と、スライド・ファスナー３２１のサイレンサー２０１とが相互に結合した状態が示されている。しかし、スライド・ファスナー３１１および３２１がいずれか一方でも開いた状態にあると、ベル１０１とサイレンサー２０１とは相互に分離されてしまう。
【００６９】
このように構成されるバックパック４０１を持ち運ぼうとするとき、収容部４０２、ポケット４０３および４０４のいずれかに閉め忘れがあると、２つのベル１０１のうち一つが音を立てることとなる。これにより、スライド・ファスナー３０１、３１１および３２１の閉め忘れが防止される。もちろん、この第３の実施例においても、適宜、前述の第１の実施例のファスナー備品の変形例が適用可能である。
【実施例４】
【００７０】
図４は、本発明の第４の実施例による、ファスナー備品を複数個備えるブリーフケース４１１を示す。ブリーフケース４１１には、４つの収容部が設けられており、それぞれにスライド・ファスナー３３１、３４１、３５１および３６１が取り付けられている。これらのスライド・ファスナーは、全てスライダーを一つだけ有するタイプのもので、各スライダーには、図１Ａを参照して前述されたベル１０１と全く同じ構成のベル１０１が取り付けられている。
【００７１】
このブリーフケース４１１は、スライド・ファスナー３３１、３４１、３５１および３６１が全て閉じられて、４つのベル１０１が磁石シート２１１に吸引されるとき、これらのベル１０１が隣同士に配列し、ブリーフケース４１１の底からほぼ同じ高さに位置するように構成されている。ここで、磁石シート２１１は、ブリーフケース４１１の表地と裏地との間に縫い付けられている。
【００７２】
スライド・ファスナー３３１、３４１、３５１および３６１の各々が閉じられると（図４においては、スライド・ファスナー３３１、３５１および３６１が閉じられている）、それに取り付けられているベル１０１は、磁石シート２１１に吸引されて音を立てなくなる。
【００７３】
逆に、スライド・ファスナー３３１、３４１、３５１および３６１のいずれかが開いている状態で（図４においては、スライド・ファスナー３４１が開いている状態にある）ブリーフケース４１１を持ち運ぼうとすると、その開いているスライド・ファスナーに取り付けられているベル１０１が音を発する。それによって、スライド・ファスナー３３１、３４１、３５１および３６１の閉め忘れが防止される。
【００７４】
この磁石シート２１１としては、商業的に利用されているものをいずれも利用できるが、薄くとも磁力の強力なものが好ましい。また、本実施例においては、製作が容易であるという点から、一枚の磁石シート２１１が、４つベル１０１全てに結合可能とされている。しかしながら、ブリーフケース４１１のデザインによっては、何枚でも、どの箇所にでも、必要なだけ磁石シートが備えられていてもよい。
【００７５】
この第４の実施例においても、ベル１０１の構造は、前述の第１の実施例のベル１０１の変形例が殆ど応用できる。例えば、ベル１０１の本体１０２を磁石に吸引されない材料から構成し、玉１０３を磁石とすることも可能である。その場合には、磁石シート２１１を鉄材シートと置き換えることもできる。また、全てのベル１０１が、同じ大きさで、同じ形を有する必要もない。
【００７６】
さて、本発明の第１乃至第４の実施例はいずれも、構成部品としてベル１０１を有している。ベル１０１の上部の本体１０２の穴を通る細紐１０４によってループが形成されており、それによってベル１０１は、スライド・ファスナーのスライダーに取り付け可能となっている。次に、これとは異なるループを備えるベルの例を示す。
【実施例５】
【００７７】
図５Ａは、本発明の第５の実施例によるファスナー備品の構成部品であるベル１１１を示す。ベル１１１の本体１１２は、穴が開けられている上部の形状が、前述の第１乃至第４の実施例におけるベル１０１の本体１０２と異なっている。しかし、材質や機能については、ベル１１１の本体１１２は、ベル１０１の本体１０２と実質的に同じものである。また、ベル１１１の玉１１３も、ベル１０１の玉１０３と全く同じ機能を有する。
【００７８】
ベル１１１の本体１１２には、金属リング１１４を介して、ループを形成する金属製のフック１１５が取り付けられている。このフック１１５のループは、その一部が可動であり、この可動部分１１６は、フック１１５の外部に突き出たノブ１１７と連動している。すなわち、ノブ１１７を押し下げると、図５Ｂに示されるように、可動部分１１６がループの内側に引き込まれてループが一部開かれる。続いて、そのノブ１１７を押し下げる力を取り除くと、フック１１５に内蔵される弾性体の働きで、可動部分１１６が元の位置に戻り、フック１１５は再度ループを形成する。
【００７９】
なおも図５Ｂを参照すると、既製のスライド・ファスナー３７１のスライダー３７２には、一端に穴３７４が開けられている金属製のつまみ(pull-tab)３７３が取り付けられている。前述のように、ノブ１１７を押し下げてフック１１５のループを開放すると、フック１１５を穴３７４に通すことができる。そして、そのままの状態でノブ１１７を押し下げる力を取り除けば、ベル１１１がつまみ３７３に取り付けられる。
【００８０】
また、図５Ｃおよび図５Ｄを参照すると、既製のスライド・ファスナー３８１のスライダー３８２には、細紐３８３を介してプラスチック製のつまみ３８４が取り付けられている。このようなスライド・ファスナー３８１のスライダー３８２にベル１１１を取り付けるために、内周がこのつまみ３８４の外周よりも小さいゴムリング１１８を用意する。
【００８１】
まず、ゴムリング１１８の弾性を利用してそれを拡張し、つまみ３８４をゴムリング１１８に通す。このようにしてゴムリング１１８がスライダー３８２に取り付けられている状態が、図５Ｃに示されている。続いて、そのゴムリング１１８を中央部で束ね、図５Ｂの場合と同様にフック１１５を操作すれば、図５Ｄに示されるように、ベル１１１がスライダー３８２に取り付けられる。
【００８２】
もちろん、スライド・ファスナー３８１において、スライダー３８２の細紐３８３に、フック１１５を直接取り付けることも可能である。しかし、ベル１１１が細紐３８３の片側に取り付けられることになり、見た目がよくない。また、そのように取り付けられたフック１１５は、すぐにつまみ３８４に接触する位置に移動してしまい、スライド・ファスナー３８１の開閉のためにつまみ３８４を操作するとき邪魔になり易い。図５Ｄに示されるように、ベル１１１をスライダー３８２に取り付けると、このような問題が起こり難いことに注意する。
【００８３】
以上のとおり、この第５の実施例によるベル１１１は、ファスナーを含む系一般に取り付け可能である。典型的には、ベル１１１は、既製のスライド・ファスナーの金属製のつまみに容易に取り付け可能であり、また紐とプラスチックの組み合わせからなるつまみにも取り付けることができる。しかも、このようにして取り付けられるベル１１１は、既製のスライド・ファスナーが備えるつまみの機能を損ねることがない。
【００８４】
このようなベル１１１と同じフックを備えるサイレンサーを用意すれば、前述の第１乃至第３の実施例と同様に、ベルとサイレンサーのペアからなる、本発明によるファスナー備品が構成される。また、この第５の実施例のベル１１１は、前述の第１の実施例のベル１０１と全く同様に変形し、または変更することが可能である。
【実施例６】
【００８５】
図６Ａおよび図６Ｂは、本発明の第６の実施例によるファスナー備品の構成部品であるベル５０１を示す。図６Ａは、ベル５０１の斜視図であり、図６Ｂは、そのベル５０１の全部品を示す分解図である。図６Ａおよび図６Ｂに示されているベル５０１と同じベル５０１を２つ組み合わせることで、第６の実施例によるファスナー備品が構成される。
【００８６】
図６Ａおよび図６Ｂを参照すると、ベル５０１が、底部にスリット５０５を有する本体５０２と玉５０３とから構成されている。ベル５０１を動かすと、玉５０３が本体５０２内を自由に転がって音を立てる。本体５０２は、磁石に吸引されない銀と銅と亜鉛の合金で鋳造されており、玉５０３は、円柱形状のネオジム磁石である。本体５０２の頂部には、本体５０２の内部に通じる穴５０７が開けられていて、その穴５０７の直径は、玉５０３の直径よりもわずかに大きい。すなわち、穴５０７を通して、玉５０３を、本体５０２内に入れたり、本体５０２から出したりできる。
【００８７】
本体５０２の上部には、相互に向い合う２つの穴５０８が開けられていて、二重リング５０４が通されている。この状態では、玉５０３は穴５０７を通り抜けることができない。更に、この二重リング５０４は、フック５０６にも通されていて、本体５０２とフック５０６とを結び付けている。ここで、二重リング５０４とフック５０６とは、燐青銅で構成されているため、弾性を有し、磁石に吸引されない。
【００８８】
フック５０６の非連続部分５０９は、２つの部分が重なり合っていて、通常は、フック５０６が全体としてループを形成するように閉じている。しかし、弾性を有するフック５０６に適度の力を加えると、非連続部分５０９が開いて、フック５０６が他のループに結合可能となる。これにより、ベル５０１は、ファスナーを含む系に取り付け可能となる。典型的には、ベル５０１は、前述の第５の実施例によるベル１１１と全く同じように、既製のスライド・ファスナーのつまみに取り付け可能となる。
【００８９】
以上のように構成されるベル５０１と同じベル５０１を２つ組み合わせて、第６の実施例によるファスナー備品が構成される。このファスナー備品は、前記第１の実施例によるファスナー備品と同様に、ファスナーを含む系に適宜取り付けて使用される。この系においては、ファスナーが開いているか、ファスナー部品が分離しているとき、２つのベル５０１は双方とも音を立てことができる。逆に、ファスナーが閉じられるか、ファスナー部品が結合しておれば、２つのベル５０１が相互に結合して音を立てない。このような系の一例が、以下に記述される第７の実施例によるスライド・ファスナーである。
【００９０】
第６の実施例によるファスナー備品では、２つのベル５０１の各々が、信号源であると同時に、相手方のベル５０１のサイレンサーとしても機能する。ベル５０１同士が結合している状態では玉５０３は全く転がらず、アラート信号は発せられない。逆に、ベル５０１が相互に離れていると、アラート信号が２つのベル５０１から発せられるので、アラート信号を鮮明に聞き取ることができるという利点がある。
【００９１】
前記第６の実施例によるファスナー備品を使用している最中に、磁石であるベル５０１の玉５０３が、砂鉄や小さい鉄片を誤って吸着してしまう恐れがある。そのような、玉５０３に吸着された異物を取り除くために、二重リング５０４を本体５０２から取り外して、玉５０３を本体５０２から取り出すことができる。
【００９２】
本体５０２およびスリット５０５の形状やデザインは、前述の第１の実施例によるベル１０１の本体１０２およびスリット１０５と同様に、変更可能である。本体５０２は、磁石に吸引されず、かつベルを構成できる材料であれば何で作られていてもよく、銀、銅、真鍮、青銅その他の金属や合金が、本体５０２の好適な材料として挙げられる。
【００９３】
玉５０３は、ネオジム磁石以外の永久磁石でもよく、磁石とそれ以外の材料とで作られていてもよい。玉５０３の形状についても、前述の第１の実施例によるベル１０１の玉１０３と同様の変更が可能である。また、２つのベル５０１の各構成部品が、必ずしも、同じ形状、デザイン、大きさを有し、同じ材料で作られている必要はない。２つのベル５０１の玉５０３についても、一方を磁石で作り、他方を軟鉄等の磁石に吸引される材料で作ることも可能である。ただし、双方の玉５０３が磁石であるほうが、磁力が強くなるため、ベル同士の結合が確実に行われるファスナー備品を得易くなる。
【００９４】
また、この第６の実施例によるベル５０１において、二重リング５０４およびフック５０６は適宜変更でき、任意の取り付け具を用いることができる。ただし、少なくとも、二重リング５０４のように、直接本体５０２と接触する取り付け具は、磁石に吸引されない材料で構成されなければならない。フック５０６は、本体５０２と接触する可能性は低いが、誤作動を防ぐために、磁石に吸引されない材料で作ることが好ましい。
【００９５】
取り付け具を自由に選択すると、前述の第２乃至第４の実施例において、ベル１０１の各々をベル５０１と置き換えることが可能である。加えて、第２および第３の実施例においては、ベル１０１とサイレンサー２０１を全てベル５０１と置き換えることも可能である。
【実施例７】
【００９６】
図７Ａおよび図７Ｂは、本発明の第７の実施例によるスライド・ファスナー７０１を示す。このスライド・ファスナー７０１は、２つのスライダー７０２および７０４を有しており、前述の第２の実施例によるスライド・ファスナー３０１と同様に、２つのスライダー７０２および７０４を相互に遠ざけたり近づけたりして開閉することができる。スライド・ファスナー７０１を開閉し易くするために、スライダー７０２および７０４にはそれぞれ、つまみ７０３および７０５が取り付けられている。
【００９７】
スライド・ファスナー７０１には、前述の第６の実施例によるファスナー備品の構成部品が取り付けられている。すなわち、スライド・ファスナー７０１のスライダー７０２および７０４のつまみ７０３および７０５の各々に、ベル５０１が、フック５０６によって取り付けられている。
【００９８】
そうすると、図７Ａに示されているように、スライド・ファスナー７０１が開いて、開口７０６を有しているときは、２つのベル５０１は、つまみ７０３および７０５を介して、スライダー７０２および７０４から吊り下げられている。この、スライド・ファスナー７０１が開いている状態において、スライド・ファスナー７０１が取り付けられている物品を動かすと、２つのベル５０１の玉５０３はそれぞれのベルの内部を転がって、双方のベル５０１とも音を立てる。
【００９９】
図７Ｂに示されているように、スライド・ファスナー７０１が閉じているときは、２つのベル５０１の玉５０３が、磁力によって相互に吸引し合い、２つのベル５０１が相互に接触している。この状態では、２つの玉５０３は転がらず、相互に向き合って動かないので、スライド・ファスナー７０１が取り付けられている物品を動かしても２つのベル５０１はいずれも音を立てることがない。
【０１００】
以上のような構成のスライド・ファスナー７０１は、前述の第２の実施例によるスライド・ファスナー３０１と同様に、衣料品や鞄等の開口に取り付けて使用される。この第７の実施例においては、前述の第６の実施例のファスナー備品の変形例が適宜応用できる。
【実施例８】
【０１０１】
図８Ａおよび図８Ｂは、本発明の第８の実施例による、ファスナー備品を備えたショルダーバッグ４２１を示す。図８Ａは、ショルダーバッグ４２１の斜視図であり、図８Ｂは、そのショルダーバッグ４２１の、図８Ａの線８Ｂ−８Ｂに沿った断面図である。
【０１０２】
バッグ本体４２２の後側には、ストラップ（帯）４２３の一端が取り付けられており、このストラップ４２３の他端には、金属リング１２４を介してベル１２１が取り付けられている。ここで、ベル１２１は、動きに対する感度が高いことに注意する。そうして、バッグ本体４２２の上部の開口が開いている状態において、ベル１２１が動かされると、ベル本体１２２の中を玉１２３が自由に転がってベル１２１が音を立てる。また、バッグ本体４２２の前側にはネオジム磁石２２１が取り付けられているが、ベル本体１２２と玉１２３は、ベル１２１が磁石２２１に吸引されるように軟鉄で作られている。
【０１０３】
バッグ本体４２２の開口を閉じて、ベル１２１を磁石２２１に充分近づけると、ベル１２１が磁石２２１に保持されるように、ショルダーバッグ４２１が構成されている。図８Ａおよび図８Ｂに示されているショルダーバッグ４２１は、このようにして閉じられた状態にある。また、図８Ｂに示されているとおり、ベル本体１２２に突起が備えられ、磁石２２１には凹部があって、それらが互いにかみ合うことで、ベル１２１と磁石２２１とが定位置に保持される。
【０１０４】
使用者が上部の開口を閉じないで、すなわち、ベル１２１を磁石２２１に吸引させないで、ショルダーバッグ４２１を持ち運ぼうとすると、ベル１２１が揺れて音を立てる。反対に、開口を閉じてベル１２１を磁石２２１に吸引させると、ショルダーバッグ４２１を持ち運んでも、ベル１２１は音を立てない。それによって、ショルダーバッグ４２１の閉め忘れが防止される。
【０１０５】
この第８の実施例のファスナー備品についても、前述の第１の実施例と同様の変形が可能である。また、第８の実施例においては、ベル１２１がストラップ４２３の先端に取り付けられているが、この構成は必ずしも本発明に必須のものではなく、ベル１２１がバッグ本体４２２に取り付けられ、磁石２２１がストラップ４２３の先端に取り付けられていてもよい。ここで、磁石２２１は、凹部を有する一体構造の磁石である必要はなく、磁石と他の部材との組み合わせで凹部が構成されてもよい。あるいは、磁石２２１が突起を備え、ベル１２１の本体１２２に凹部が設けられてもよい。
【０１０６】
更に、第８の実施例においては、ショルダーバッグ４２１を閉じるためのファスナーと、閉め忘れ防止のためのファスナー備品とが相互に一体化されているが、ショルダーバッグ４２１が、ベル１２１および磁石２２１とは別個のファスナーを有し、なおもベル１２１と磁石２２１とがそのファスナーと一緒に作動するようにすることも可能である。
【０１０７】
加えて、前述の第６の実施例をこの第８の実施例に適用することもできる。例えば、ベル本体１２２を磁石に吸引されない金属で構成し、玉１２３を磁石で構成してもよい。その場合、更に、磁石２２１に代えて、磁石に吸引されない金属で本体が形成され、玉が磁石で作られる前記のようなベルを備えることも可能である。もちろん、この第８の実施例におけるファスナー備品は、ショルダーバッグ以外の衣料品や鞄等にも適用可能である。
【実施例９】
【０１０８】
図９Ａ乃至図９Ｃは、本発明の第９の実施例による、ファスナー備品を備えたデイパック４３１を示す。図９Ａは、カバー４３３が開けられている状態のデイパック４３１の斜視図である。図９Ｂは、デイパック４３１の、図９Ａの線９Ｂ−９Ｂに沿った断面図であり、図９Ｃは、デイパック４３１の同じ断面を、カバー４３３が閉じられている状態で示す。
【０１０９】
図９Ａ乃至図９Ｃを参照すると、デイパック４３１は、開口４３４を介して収容部４３２の内部に物品を収容し、あるいは収容部４３２から物品を取り出せるように構成されている。その開口４３４は、留具４３５を滑らせて紐４３６を緩めたり絞ったりすることによって開け閉めが可能となる。ここで、図９Ａ乃至図９Ｃにおいては、デイパック４３１の収容部４３２に相当量の物品が収容されている状態で紐４３６が絞られているため、収容部４３２が膨らんでいることに注意する。ただし、これら物品の詳細は、図９Ａ乃至図９Ｃにおいて省略されている。
【０１１０】
金属製のベル１３２が金属リング１３４に可動に取り付けられ、次にそれは、カバー４３３に縫い付けられているストラップ１３５に可動に取り付けられている。更に、カバー４３３には、金属製の鋲１３３が取り付けられている。ベル１３２は、底部に開口を有して中空である。したがって、図９Ａおよび図９Ｂに示されるような、カバー４３３が開いた状態では、ベル１３２は容易に揺すられて、鋲１３３と打ち合って音を立てる。
【０１１１】
収容部４３２には、ストラップ２３４を介して、ベル１３２と結合可能なサイレンサー２３１が取り付けられている。このサイレンサー２３１は、金属またはプラスチック等の弾性材から作られており、その両側に備えられる突起２３３が内側にしなるように構成されている。
【０１１２】
ここで、ストラップ２３４とサイレンサー２３１とは、収容部４３２とサイレンサー２３１の間のストラップ２３４の長さが調整可能となるように組み合わされている。すなわち、使用者は、デイパック４３１を用いる際、収容部４３２に物品をたくさん入れるときは、ストラップ２３４を長くし、反対に、収容部４３２に物品をあまり入れないときは、ストラップ２３４を短くする。
【０１１３】
以上のように構成されるデイパック４３１の開口４３４のカバー４３３を閉めるには、使用者が、カバー４３３を収容部４３２に押さえ付けたままサイレンサー２３１をベル１３２の下側から差し込めばよい。このとき、サイレンサー２３１の両側の突起２３３が内側にしなってサイレンサー２３１がベル１３２の中に滑り込む。そして、突起２３３がベル１３２の両側に開けられた穴１３６に到達すると、突起２３３が元の形状に戻ってサイレンサー２３１とベル１３２とが結合する。
【０１１４】
反対に、カバー４３３を開けるためには、２つの突起２３３を両側からつまんだまま、サイレンサー２３１とベル１３２とを引き離せばよい。すなわち、サイレンサー２３１とベル１３２とでバックルが構成されている。
【０１１５】
サイレンサー２３１とベル１３２とが結合してカバー４３３の閉められている状態が、図９Ｃに示されている。注目すべきは、この状態では、ベル１３２は、その上下のストラップ１３５、２３４で引っ張られて、収容部４３２に押し付けられている。更に、鋲１３３は、ベル１３２と収容部４３２との間に挟まれていて、ベル１３２と接触したまま固定されている。したがって、このような、カバー４３３が閉められている状態では、ベル１３２が音を立てることはない。
【０１１６】
以上のような構成によって、デイパック４３１のカバー４３３の閉め忘れを防止することができる。もちろん、この第９の実施例におけるファスナー備品は、デイパック以外の衣料品や鞄等にも適用可能である。
【実施例１０】
【０１１７】
図１０Ａ乃至図１０Ｃは、本発明の第１０の実施例による、ファスナー備品を備えた旅行用鞄４４１を示す。図１０Ａは、この旅行用鞄４４１の斜視図であり、ここで、スライド・ファスナー３９１は閉まりつつある状態にある。図１０Ｂは、この旅行用鞄４４１の、図１０Ａの線１０Ｂ−１０Ｂに沿った部分断面図である。更に、図１０Ｃは、スライド・ファスナー３９１が閉まっている状態にある旅行用鞄４４１の部分断面図である。
【０１１８】
この旅行用鞄４４１の収容部４４２は、その上部に取り付けられたスライド・ファスナー３９１により開け閉めが可能となっている。スライド・ファスナー３９１のスライダー３９２には、細紐２４４を介してつまみ２４２が取り付けられている。このつまみ２４２の一方の側には、面ファスナー３４３の一方（フックを有する布）２４３が貼り付けられていることに注意する。また、鞄４４１の開閉を容易にするために、スライド・ファスナー３９１の両端において、鞄４４１にもつまみ４４３および４４４が取り付けられている。
【０１１９】
スライド・ファスナー３９１が閉じられるときにスライド３９２が近づく側のつまみ４４３に、細紐１４４を介して２つの金属パイプ１４２からなるチャイム１４１が取り付けられている。図１０Ａおよび図１０Ｂに示されているように、スライド・ファスナー３９１が開いている状態で、鞄４４１が動かされると、チャイム１４１が揺れて、２つのパイプ１４２が相互に打ち合って音を立てる。パイプ１４２の上部の周囲には、面ファスナー３４３のもう一方（ループを備える布）１４３が巻き付けられていることに注意する。
【０１２０】
鞄４４１を閉じるために、使用者は、つまみ２４２を引っ張ってスライダー３９２をつまみ４４３の傍まで移動させる。その後、つまみ２４２から手を離すと、つまみ２４２は、鞄４４１の横側に落ちてチャイム１４１に接触する。そうすると、図１０Ｃに示されているように、つまみ２４２の一方の側に貼り付けられている面ファスナー３４３の一方２４３と、パイプ１４２の上部に巻き付けられている面ファスナー３４３のもう一方１４３とがくっ付き合う。この状態でチャイム１４１が揺らされても、２つのパイプ１４２が相互に打ち合うことはなく、チャイム１４１は音を立てない。
【０１２１】
以上のような構成によって、鞄４４１のスライド・ファスナー３９１の閉め忘れを防止することができる。
【０１２２】
ここで、面ファスナー３４３として、一般に市販されているような、多数のプラスチック繊維の輪（ループ）で表面層が形成される布と、多数のプラスチックの鉤（フック）で表面層が形成される布との組み合わせを用いればよい。このような面ファスナーとしては、ベルクロ(velcro)（登録商標）またはマジックテープ（登録商標）と称されているものが、最もよく知られている。
【０１２３】
また、この第１０の実施例においては、スライダー３９２につまみ２４２が取り付けられ、つまみ４４３にチャイム１４１が取り付けられているが、これらの構成部品の位置関係については、容易に変更が可能である。例えば、面ファスナー３４３の一方１４３が巻き付けられているチャイム１４１を、スライダー３９２に取り付けて、チャイム１４１をそのままつまみとして用いることができるようにし、一方、つまみ４４３を大きくして、その表面に面ファスナー３４３の他方２４３を取り付けてもよい。
【０１２４】
また、第１０の実施例で示されているように面ファスナーを用いて、様々な構造の信号源を、信号変更器と結合可能にすることができる。更には、第１０の実施例によるファスナー備品は、スライド・ファスナー以外のファスナーならびに旅行用鞄以外の衣料品および鞄にも適用可能である。
【実施例１１】
【０１２５】
図１１Ａ乃至図１１Ｃは、本発明の第１１の実施例によるバックル７２１を示す。このバックル７２１は、ベル５２１とサイレンサー６２１とから構成されており、それらは、相互に結合または分離可能である。図１１Ａは、バックル７２１の斜視図であり、この図において、ベル５２１とサイレンサー６２１は相互に分離している。図１１Ｂは、図１１Ａの線１１Ｂ−１１Ｂに沿った断面図である。更に、図１１Ｃは、ベル５２１とサイレンサー６２１が相互に結合しているときの、バックル７２１の断面図である。
【０１２６】
図１１Ａ乃至図１１Ｃを参照すると、バックル７２１は、構成部品全てがステンレス鋼等の金属で作られている。ベル５２１は釣鐘型であり、その本体５２２は中空で、底部に開口５２７を有する。開口５２７の縁は円形であり、それに連なる本体５２２下部の側壁は円筒形である。本体５２２下部には、相互に向い合う２つの穴５２８が開けられている。本体５２２内部には、舌(clapper)５２３が備えられている。
【０１２７】
本体５２２の上部には、相互に向い合う２つの穴５２５が開けられていて、二重リング５２４が通されている。舌５２３の上部にも、縦長の穴５２６が開けられていて、二重リング５２４が通されている。そうすると、図１１Ａおよび図１１Ｂに示されるように、サイレンサー６２１がベル５２１と結合していないときに、二重リング５２４を保持すると、ベル５２１の本体５２２も舌５２３も、二重リング５２４から吊り下げられる。この状態でベル５２１を動かすと、舌５２３は本体５２２の内部で揺れ動き、両者が打ち合って音を立てる。ここで、舌５２３は下部が膨れて重くなっており、揺れを強くするのに役立っていることに注意する。
【０１２８】
サイレンサー６２１の本体６２２には、鍔６２７が設けられている。本体６２２は、鍔６２７よりも上の部分が円柱形であって、開口５２７からベル５２１の本体５２２内に挿入可能である。すなわち、鍔６２７が、開口５２７の縁で受け止められるまで、本体５２２の内面と、本体６２２の側壁の外面とが相互に滑り合う。ここで、本体６２２の側面には、丸い突起６２３が２つ設けられていることに注意する。これらの突起６２３は、本体６２２の中心軸に対して相互に反対側に位置する。各突起６２３は、可動であるが、その後部は本体６２２内に収められていて、そこから抜け出ない構造を有する。
【０１２９】
図１１Ｂおよび図１１Ｃに示されるように、本体６２２内において、２つの突起６２３の間には、コイルばね６２８が収容されている。２つの突起６２３とコイルばね６２８は一列に配置されていて、コイルばね６２８の両端が、それぞれの突起６２３を常に後ろから押圧している。そうすると、これらの突起６２３は、外部から力が加わると、本体６２２の中心軸に垂直に本体６２２内に滑り込むが、このような力が加わらない限り、本体６２２の側方に突出している。
【０１３０】
サイレンサー６２１の本体６２２が、ベル５２１の本体５２２内に挿入されているとき、所定位置で、２つの突起６２３と２つの穴５２８が全て一列に並ぶ。この位置で、これらの突起６２３は、それぞれ側方に突き出して、これらの穴５２８と嵌合する。このとき、開口５２７の縁は、鍔６２７で受け止められている。これが、ベル５２１とサイレンサー６２１とが相互に結合している状態である。
【０１３１】
図１１Ｃに示されるとおり、ベル５２１とサイレンサー６２１とが相互に結合している状態では、舌５２３は、本体６２２の上面６２６で支えられているので、揺れ動いてベル５２１を叩くことはない。更に、ベル５２１の開口５２７もサイレンサー６２１で塞がれてしまっているので、バックル７２１をどう動かしても、ベル５２１が音を立てることはない。また、本体６２２の、鍔６２７よりも下の部分には、相互に向い合う２つの穴６２５が開けられていて、二重リング６２４が通されている。
【０１３２】
サイレンサー６２１をベル５２１と結合させるには、一方の手で、２つの突起６２３を押さえながらサイレンサー６２１を保持し、この状態で、サイレンサー６２１に、他方の手でベル５２１を被せればよい。こうすれば、２つの突起６２３が、ベル５２１の本体５２２の内面で押さえられて、本体６２２内に入り込んだままとなる。そうして、突起６２３と穴５２８とが嵌合する位置となるまで、ベル５２１とサイレンサー６２１とを相互に滑らせればよい。
【０１３３】
逆に、結合しているベル５２１とサイレンサー６２１を分離させるときも、まず、一方の手で、２つの突起６２３を押さえながらサイレンサー６２１を保持して、他方の手で、ベル５２１をサイレンサー６２１から引き離せばよい。
【０１３４】
以上のようなバックル７２１は、第８および第９の実施例におけるハンドバッグやデイパックに使われているファスナー備品またはバックルと置き換えることが可能である。もちろん、それらに加えて、バックル７２１は、あらゆる種類の衣料品や鞄のファスナーまたはファスナー備品としても使用可能である。
【０１３５】
バックル７２１は、例えば、キーホルダーとしても利用可能である。二重リング５２４をズボンのベルト通し等、着衣に取り付け、二重リング６２４に鍵を取り付ける。鍵を使用するときに、サイレンサー６２１をベル５２１から分離するが、その状態で使用者が体を動かすとベル５２１が音を立てる。したがって、使用後の鍵をバックル７２１に戻し忘れることを防止できる。バックル７２１の別の使用例を、第１２の実施例として以下に説明する。
【０１３６】
バックル７２１は、以上のとおり構成されるが、言うまでもなく種々の変更が可能である。まず、バックル７２１の形状は、前述のように円柱を基本としたものに限定される必要はない。次に、二重リングの双方または一方が、他の取り付け手段と置き換えられてもよい。更に、突起と穴の嵌合機構は、他の周知のバックル機構と置き換えることが可能である。
【０１３７】
また、サイレンサー６２１がベル５２１と結合したときの、舌５２３の振動を更に少なくするために、サイレンサー６２１の上面６２６に、ゴム等の弾性材またはブラシを貼り付けてもよい。あるいは、舌５２３が、磁力によってサイレンサー６２１に吸引されるようにすることも可能である。例えば、舌５２３を軟鉄で作り、上面６２６にシート状の磁石を貼り付けてもよい。
【実施例１２】
【０１３８】
図１２は、本発明の第１２の実施例による首掛ストラップ７２０を示す。この首掛ストラップ７２０は、前記第１１の実施例によるバックル７２１と、革製の帯７２２と、ストラップ７２４と、ループ紐７２６とから構成されている。帯７２２は、３つに折り曲げられて中央をリベット７２３で綴じられ、これによって、リベット７２３の両側にループが作られている。一方のループに、ストラップ７２４が通され、他方のループに、バックル７２１を吊り下げる二重リング５２４が通されている。バックル７２１の二重リング６２４には、小さな二重リング７２５を介して、ループ紐７２６が取り付けられている。
【０１３９】
以上のように構成される首掛ストラップ７２０には、ループ紐７２６を使って、携帯電話８２１が取り付けられるとよい。あるいは、首掛ストラップ７２０には、二重リング７２５を介して、鍵８２２が取り付けられてもよい。
【０１４０】
使用者は、首掛ストラップ７２０を首に掛けることによって、携帯電話８２１または鍵８２２を持ち運ぶことができる。そして、携帯電話８２１または鍵８２２を使用するとき、バックル７２１を外すことが可能である。そうすると、ベル５２１とサイレンサー６２１が分離されるため、ベル５２１は、帯７２２と二重リング５２４とを介して、ストラップ７２４で首から吊り下げられる。この状態で使用者が体を動かすと、ベル５２１が音を立てるため、携帯電話８２１または鍵８２２を使い終えた後、使用者が、バックル７２１を嵌め忘れることがなくなる。
【０１４１】
首掛ストラップ７２０に取り付けるものは、携帯電話８２１または鍵８２２に限らず、財布、小銭入れ、パスポート入れ、カメラ、双眼鏡、筆記用具、電子辞書、時計、音楽再生装置、ピルケース、水筒、羅針盤（コンパス）、灰皿、キャンピングナイフ、虫除け器具等、用途に応じて種々の品目が可能である。また、ストラップ７２４は、リスト・ストラップ、ウェストストラップ等の他の種類のストラップと置き換えることも可能である。
【０１４２】
バックル７２１の更に別の応用例として、ペットや子供をつなぐ鎖や革紐（引き紐）への取り付けが可能である。一例として、犬をつなぐ革紐にバックル７２１を取り付けたものを以下に説明する。犬の首輪に、直接的または間接的にベル５２１の二重リング５２４を取り付け、革紐の先端にサイレンサー６２１の二重リング６２４を取り付ける。例えば、図１２に示される首掛ストラップ７２０において、ストラップ７２４を犬の首輪と置き換え、携帯電話８２１と鍵８２２を革紐に置き換えるとそのようなものが得られる。
【０１４３】
以上のように、犬の首輪と革紐をバックル７２１で結び付けた場合、バックル７２１を嵌めた状態では、犬は革紐につながれている。バックル７２１を外すと、犬は革紐から解き放たれるが、ベル５２１が首輪から吊り下げられることとなり、犬が動くとベル５２１が音を立てる。そうすると、使用者は、ベル５２１の音が聞こえる度に、犬が革紐から解き放たれていることを思い起こす。あるいは、ベル５２１の音によって、解き放たれている犬の位置を確認し易くなる。結果として、使用者が犬をつなぎ忘れることが防止できる。
【実施例１３】
【０１４４】
図１３Ａ乃至図１３Ｄは、本発明の第１３の実施例によるバックル７３１を示す。このバックル７３１は、ベル５３１とサイレンサー６３１とから構成されており、それらは、相互に結合または分離可能である。図１３Ａは、バックル７３１の斜視図であり、この図において、ベル５３１とサイレンサー６３１は相互に分離している。図１３Ｂは、バックル７３１の分解図であり、ベル５３１とサイレンサー６３１の構成部品をそれぞれ全て示している。図１３Ｃは、図１３Ａの線１３Ｃ−１３Ｃに沿った断面図である。更に、図１３Ｄは、ベル５３１とサイレンサー６３１が相互に結合しているときの、バックル７３１の断面図である。
【０１４５】
図１３Ａ乃至図１３Ｄを参照すると、バックル７３１は、ベル５３１の舌(clapper)５
３３の錘５３８である円柱形の磁石と、ベル６３１の玉６３３である球形の磁石を除いて、全ての構成部品が、磁石に吸着しない金属で作られている。
【０１４６】
ベル５３１は釣鐘型であり、その本体５３２は中空で、底部に開口５３７を有する。開口５３７の縁は円形であり、それに連なる本体５３２下部の側壁は円筒形である。本体５３２内部には、舌５３３が備えられている。舌５３３を構成する金属部は、棒の一端に蓋の付いた円筒が連なるような形状を有する。更に、舌５３３は、その金属部の円筒の中に、円柱形のネオジム磁石で作られている錘５３８を備えている。
【０１４７】
本体５３２の上部には、相互に向い合う２つの穴５３５が開けられていて、二重リング５３４が通されている。舌５３３の上部にも、縦長の穴５３６が開けられていて、二重リング５３４が通されている。そうすると、図１３Ａおよび図１３Ｃに示されるように、ベル５３１がベル６３１から分離しているとき、二重リング５３４を保持すると、ベル５３１の本体５３２も舌５３３も二重リング５３４から吊り下げられる。この状態でベル５３１を動かすと、舌５３３は本体５３２の内部で揺れ動き、両者が打ち合って音を立てる。このとき、錘５３８が、舌５３３の揺れを強くするのに役立っていることに注意する。
【０１４８】
ベル６３１の本体は、２つの部分、上部６３２と下部６３７とで構成されている。本体上部６３２は中空で、側壁が円筒形状であるが、その下部外面にネジ溝が掘られている。また、本体上部６３２の頂部は円形の平板で覆われているが、この平板は、スリット６３６で２つに分けられている。スリット６３６は、本体上部６３２の側壁上部にも延びている。
【０１４９】
本体下部６３７は、円筒形の足が底に付いた椀のような形状であるが、開口の周囲に連なる頂部は、短い円筒形をなす。この短い円筒形の壁の内面にもネジ溝が掘られている。そうして、本体上部６３２の下部外壁と、本体下部６３３の上部内壁とが、ネジ合わさってベル６３１の本体が構成される。中空のベル６３１の本体には、球形のネオジム磁石で作られている玉６３３が収容される。このとき、本体下部６３７の頂部は、ベル６３１の側面を取り囲む鍔となる。また、本体下部６３７の円筒形の足には、相互に向い合う２つの穴６３５が開けられていて、二重リング６３４が通されている。
【０１５０】
二重リング６３４を保持すると、ベル６３１の本体は二重リング６３４から吊り下げられる。その状態でベル６３１を動かすと、磁石６３３が転がって本体の内壁と打ち合い、音を立てる。
【０１５１】
ベル６３１の本体下部６３７の頂部が、ベル５３１の開口５３７の縁で受け止められるまで、ベル６３１の本体上部６３２は、開口５３７からベル５３１の本体５３２内に挿入可能である。すなわち、本体５３２の内面と、本体上部６３２の外面とが相互に滑り合って、ベル５３１とベル６３１とが結合する。
【０１５２】
このとき、図１３Ｄに示されるように、磁石で作られている錘５３８と玉６３３とが相互に吸引し合っている。この状態では、ベル５３１の舌５３３もベル６３１の玉６３３も位置が固定されてしまい、双方のベルとも全く音を立てることができない。すなわち、これらのベル５３１および６３１は、互いに相手方のサイレンサーとして働くことに注意する。
【０１５３】
結合しているベル５３１および６３１を分離させるには、錘５３８と玉６３３との間の磁力に逆らう力で、両者を引き離せばよい。２つのベル５３１および６３１が分離されている状態では、いずれのベルも動かせば音を立てる。
【０１５４】
以上のようなバックル７３１は、前述のバックル７２１と同様に使用でき、第８および第９の実施例によるハンドバッグやデイパックに使われているファスナー備品またはバックルと置き換えることが可能である。もちろん、それらに加えて、バックル７３１は、あらゆる種類の衣料品や鞄のファスナーまたはファスナー備品としても使用可能である。
【０１５５】
更に、バックル７３１は、キーホルダーとしても利用可能であるし、第１２の実施例による首掛ストラップ７２０において、バックル７２１と置き換えて使用することも可能である。加えて、バックル７３１は、周知のバックルに代えて、使用することが可能である。
【０１５６】
バックル７３１を使用している最中に、磁石であるベル６３１の玉６３３が、砂鉄や小さい鉄片を誤って吸着してしまう恐れがある。そのような、玉６３３に吸着された異物を取り除くために、本体上部６３２と本体下部６３７と相互に回して外し、玉６３３をベル６３１から取り出すことができる。
【０１５７】
バックル７３１は、以上のとおり構成されるが、言うまでもなく種々の変更が可能である。まず、バックル７３１の形状は、前述のように円柱を基本としたものに限定される必要はない。次に、二重リングの双方または一方が、他の取り付け手段と置き換えられてもよい。
【０１５８】
また、錘５３８と玉６３３は、双方がネオジム磁石である必要はなく、一方または双方が、サマリウム、フェライト等の、他の種類の磁石と置き換えられてもよい。錘５３８と玉６３３の一方のみ、軟鉄で構成されていてもよい。すなわち、錘５３８と玉６３３は、磁力によって相互に吸引される材料の組み合わせで構成されればよい。更に、舌５３３の、蓋の付いた円筒の部分を軟鉄で構成し、錘５３８との間に若干の隙間を設けてもよい。そうすると、錘５３８を構成する磁石にヨークを備えることができ、錘５３８の下面において、磁力を高めることができる。
【０１５９】
第１３の実施例によると、２つのベル５３１および６３１は、一方が舌を有し、他方が玉を有するベルであるが、双方ともが舌を有するベルであっても、双方ともが玉を有するベルであってもよい。舌や玉の形状についても、もちろん種々の変更が可能である。
【実施例１４】
【０１６０】
図１４Ａ乃至図１４Ｄは、本発明の第１４の実施例によるファスナー備品の構成部品を示す。図１４Ａおよび図１４Ｂは、電子装置１５１を表側および裏側から見た斜視図である。図１４Ｃは、信号変更器２５１の斜視図である。また、図１４Ｄは、電子装置１５１と信号変更器２５１とが背中合わせにくっ付いた状態の側面図である。
【０１６１】
図１４Ａおよび図１４Ｂを参照すると、電子装置１５１は、プラスチックからなる筺体１５２と、中央に穴１５５の空けられている軟鉄板１５３とが貼り合わされて構成されている。電子装置１５１の一方の側には、筺体１５２の窪み１５７の中にＬＥＤ（発光ダイオード）１５８が設けられている。電子装置１５１の他方の側には、穴１５５を通る突起１５６が備えられている。
【０１６２】
この突起１５６は、軟鉄板１５３の表面に対して垂直方向に動くよう構成されている。そうして、少なくとも突起１５６の頂部が軟鉄板１５３の表面と同一平面上に位置するまで、突起１５６を筺体１５２の中に押し込めることが可能である。ただし、突起１５６に何の力も働いていなければ、この突起１５６の頂部は、軟鉄板１５３よりも外に突出している。
【０１６３】
筺体１５２の内部には、この突起１５６と連動するスイッチ、ＬＥＤ１５８を搭載する回路基板および電池が収容されている。そうして、突起１５６が押されていなければスイッチがオンとなっていてＬＥＤ１５８は点灯または点滅しており、突起１５６が押されるとスイッチがオフとなってＬＥＤ１５８が消灯する。なお、この電子装置１５１は、ファスナーを含む系（例えば、スライド・ファスナーのスライダー）に取り付け可能なように細紐１５４が備えられている。
【０１６４】
図１４Ｃを参照すると、電子装置１５１に結合可能な信号変更器２５１が、プラスチックからなる筺体２５２と、その筺体２５２の中に収容されるフェライト磁石２５３とから構成されている。このフェライト磁石２５３の側面および裏面は、キャップ形のヨーク２５５で囲まれていて、フェライト磁石２５３の表面に、特に強い磁力が発生している。
【０１６５】
このような信号変更器２５１が、電子装置１５１と近づくと、磁力によって両者が吸引し合い、図１４Ｄに示されるように、電子装置１５１と信号変更器２５１とが背中合わせにくっ付き合う。この状態では、突起１５６が押されていてＬＥＤ１５８が消灯している。なお、信号変更器２５１にも、ファスナーを含む系（例えば、スライド・ファスナーのスライダー）に取り付け可能なように細紐２５４が備えられている。
【０１６６】
以上のように構成される電子装置１５１と信号変更器２５１とは、ファスナー備品として、図１Ａおよび図１Ｂのベル１０１およびサイレンサー２０１と同様に使用可能である。例えば、図２Ａおよび図２Ｂに示されるスライド・ファスナー３０１において、ベル１０１およびサイレンサー２０１の代わりに電子装置１５１と信号変更器２５１とが取り付けられているとする。スライド・ファスナー３０１が閉じられている限りＬＥＤ１５８は消灯しているが、スライド・ファスナー３０１が開けられるとＬＥＤ１５８が点灯または点滅する。そうして、スライド・ファスナー３０１の閉め忘れが防止される。
【０１６７】
ただし、本発明のファスナー備品のベル１０１は動かされたときのみに音を発するのに対し、前述の構成の電子装置１５１では、動かされ無くともＬＥＤ１５８が点灯または点滅し続けてしまう。このように、使用者がファスナーの状態を気に掛ける必要のないところでは、ＬＥＤ１５８がＯＦＦ状態を保つように、電子装置１５１に、動きを検知するセンサーが更に備えられてもよい。
【０１６８】
あるいは、ＬＥＤ１５８が一定時間だけ点灯または点滅するように、電子装置１５１にタイマーを備えることも可能である。また、電子装置１５１は、ＬＥＤ１５８に代えて、音を発するブザーまたは振動を送り出すバイブレーターを備えてもよい。あるいは、電子装置１５１は、モーション・センサー、タイマー、ＬＥＤ、ブザー、バイブレーターの２つ以上からなるいかなる組み合わせを備えてもよい。
【０１６９】
更には、電子装置１５１と信号変更器２５１とにそれぞれ備えられている細紐１５４および２５４についても、図１Ａおよび図１Ｂのベル１０１とサイレンサー２０１の細紐１０４および２０４と同様に他の取り付け手段との置き換えが可能である。すなわち、電子装置１５１と信号変更器２５１の少なくとも一方がファスナーまたは布地に取り付け可能となるように、細紐１５４と２５４の少なくとも一方は、安全ピン、バッジ用のピン、ねじ、リベット、クリップまたは縫い代か糊代等を備える材料と置き換えられてもよい。
【０１７０】
また、前述の第６の実施例によるベル５０１と同様に、信号源である電子装置を２つ組み合わせることも可能である。この場合、各電子装置が、相手方の信号変更器として機能する。２つの電子装置が、相互に異なる信号を発するものとしてもよい。
【０１７１】
なお、前述のとおり、電子装置１５１のスイッチは、突起１５６が押されていなければオンとなり、突起１５６が押されていればオフとなるように構成されている。しかし、市販されているスイッチは、突起が押されているときに内部に接続が形成され、突起が押されていないときにそのような接続が形成されない構造を持つものが多い。そのようなスイッチをそのまま用いるためには、ＬＥＤを点灯または点滅させるための回路とスイッチとの間に、反転回路を挿入すればよい。そうすると、スイッチがオンのときにＬＥＤをオフとし、スイッチがオフのときにＬＥＤをオンとすることができる。
【０１７２】
あるいは、機械的にオン、オフされるスイッチに代えて、磁力の有無によってオン、オフされるリードスイッチを用いることも可能である。すなわち、突起１５６およびそれと連結するスイッチならびに軟鉄板１５３を取り除く。そうして、筐体１５２の、軟鉄板１５３があった側の内側に、その取り除かれたスイッチに変えてリードスイッチを設ける。更に、前述のような反転回路を設けて、リードスイッチがオフのときにＬＥＤがオンとなり、リードスイッチがオンのときにＬＥＤがオフとなるように回路を構成する。
【０１７３】
そうすると、電子装置１５１と信号変更器２５１とが離れた状態では、リードスイッチがオフとなって、ＬＥＤが点灯または点滅する。電子装置１５１と信号変更器２５１とが相互に接触すると、リードスイッチがフェライト磁石２５３の磁力線に作用されてオンとなり、ＬＥＤが消灯する。このとき、電子装置１５１と信号変更器２５１とは、相互に結合しないまま、リードスイッチをオンとしている。したがって、ＬＥＤがオフのまま安定し難いので、電子装置１５１と信号変更器２５１とに面ファスナー等の結合手段を設けてもよい。
【実施例１５】
【０１７４】
図１５Ａおよび図１５Ｂは、リードスイッチとマグネットキャッチを用いる構造を利用した、本発明の第１５の実施例によるファスナー備品の構成部品を示す。このように、リードスイッチとマグネットキャッチを用いる構造は、例えば、高電圧を扱う電気機器の扉等に備えられる安全装置において周知である。図１５Ａおよび図１５Ｂは、電子装置５５１と信号変換器６５１との模式断面図であり、一部を回路図として表している。図１５Ａでは、電子装置５５１と信号変換器６５１とは、相互に離れた状態にあり、図１５Ｂでは、電子装置５５１と信号変換器６５１とは、相互にくっ付き合った状態にある。
【０１７５】
図１５Ａおよび図１５Ｂを参照すると、電子装置５５１は、プラスチックからなる筐体５５２の内部に、フェライト磁石５５３およびリードスイッチ５５６を収容して構成されている。フェライト磁石５５３のＮ極側にはヨーク５５４が、Ｓ極側にはヨーク５５５がそれぞれ設けられている。また、リードスイッチ５５６は、不活性ガスを封じ込めているガラス管７５１と、そのガラス管７５１の内部に接点をもち、磁性材料で作られている舌片(contact blades)７５２および７５３とから構成されている。
【０１７６】
リードスイッチ５５６は、電池５５７およびＬＥＤ５５８と共に、図示のとおり回路を構成している。ここで、電池５５７およびＬＥＤ５５８は、筐体５５２の内部に収容されているが、簡略化のために、図１５Ａおよび図１５Ｂにおいては、回路記号で示されていることに注意する。なお、この電子装置５５１には、前述の本発明の第１４の実施例による電子装置１５１と同様、ファスナーを含む系に取り付け可能なように細紐５５９が備えられている。
【０１７７】
一方、信号変換器６５１は、プラスチックからなる筐体６５２と軟鉄板６５３とを貼り合わせて構成されている。また、この信号変換器６５１にも、前述の本発明の第１４の実施例による信号変換器２５１と同様、ファスナーを含む系に取り付け可能なように細紐６５４が備えられている。
【０１７８】
以上のように構成される電子装置５５１と信号変換器６５１とが、図１５Ａに示されるように離れた状態にあるときは、フェライト磁石５５３のＮ極側のヨーク５５４からＳ極側のヨーク５５５に向かう磁束がリードスイッチ５５６の内部にも流れる。これによって、舌片７５２および７５３が相互に接触し、すなわち、リードスイッチ５５６がオンとなり、ＬＥＤ５５８が点灯する。
【０１７９】
一方、電子装置５５１と信号変換器６５１とが、図１５Ｂに示されているようにくっ付き合った状態にあるときは、ヨーク５５４とヨーク５５５とが軟鉄板６５３で連結されるため、フェライト磁石５５３の磁束は、Ｎ極に始まって、ヨーク５５４、軟鉄板６５３およびヨーク５５５を経て、Ｓ極に還流する。そうすると、リードスイッチ５５６には磁束が流れず、舌片７５２および７５３が相互に離れた位置を保つ。それによって、リードスイッチ５５６はオフとなり、ＬＥＤ５５８は消灯する。
【０１８０】
このような、電子装置５５１と信号変換器６５１とからなる本発明の第１５の実施例によるファスナー備品は、前述の第１、第６および第１４の実施例によるファスナー備品と同様に使用可能である。また、細紐５５９および６５４に代えて適宜取り付け構造を採用すれば、前述のその他の実施例によるファスナー備品ならびにその変形例とも同様に使用可能である。
【０１８１】
特に、第１５の実施例によるファスナー備品は、マグネットキャッチ構造を有しており、ファスナーとして用いるのに充分な強い吸引力が容易に得られる。したがって、第１５の実施例によるファスナー備品を応用すれば、第８および第１３の実施例に示されるように、信号源を有するファスナー備品を、容易に磁力を利用するファスナーと一体化することができる。
【０１８２】
前述の、本発明の第１４の実施例による電子装置１５１と同様に、電子装置５５１は、ＬＥＤ５５８に代えて、音を出すブザーまたはバイブレーターが備えられてもよい。また、前述の電子装置１５１と同様、電子装置５５１は、動かされたときのみに信号を発するように、モーション・センサーを備えることが好ましい。あるいは、電子装置５５１は、モーション・センサー、タイマー、ＬＥＤ、ブザーおよびバイブレーターのいずれの組み合わせを備えてもよい。
【実施例１６】
【０１８３】
図１６Ａおよび図１６Ｂは、本発明の第１６の実施例による、ファスナー備品を備えたハンドバッグ８６１を示す。図１６Ａおよび図１６Ｂは、いずれもハンドバッグ８６１の斜視図であるが、図１６Ａでは、ハンドバッグ８６１のカバー８６２は閉められた状態にあり、図１６Ｂでは、ハンドバッグ８６１のカバー８６２が開いた状態にある。
【０１８４】
図１６Ａおよび図１６Ｂを参照すると、ハンドバッグ８６１のカバー８６２に電子装置５６１が取り付けられている。この電子装置５６１の筐体５６２の内部に、フェライト磁石とリードスイッチとが備えられていて、前述の第１５の実施例における電子装置５５１と同様のスイッチング機構および電気回路を構成している。
【０１８５】
筐体５６２は、プラスチックで作られており、ＬＥＤ５６８の露呈する窓や電池収容部のカバー５６７が備えられている。また、電子装置５５１のフェライト磁石５５３のヨーク５５４および５５５に該当する、電子装置５６１のフェライト磁石のヨーク５６４および５６５が、カバー８６２の裏面から露呈している。一方、ハンドバッグ８６１の本体８６３には、表面に錆止め加工の施された軟鉄板６６１が取り付けられている。
【０１８６】
以上のように構成されるハンドバッグ８６１が、図１６Ａに示されているように、閉じられた状態にあるとき、ヨーク５６４および５６５は、磁力によって軟鉄板６６１に吸着している。このとき、前述の図１５Ｂの場合と同様に、電子装置５６１内のリードスイッチがオフとなっているため、ＬＥＤ５６８は消灯している。反対に、図１６Ｂに示されているように、ハンドバッグ８６１が開いている状態にあるとき、前述の図１５Ａの場合と同様にリードスイッチがオンとなっていてＬＥＤ５６８は点灯している。これによって、ハンドバッグ８６１のカバー８６２の閉め忘れが防止される。
【０１８７】
前述の、本発明の第１４および第１５の実施例による電子装置１５１および５５１と同様に、電子装置５６１は、ＬＥＤ５６８に代えて、音を出すブザーまたはバイブレーターが備えられてもよい。また、前述の電子装置１５１および５５１と同様、電子装置５６１は、動かされたときのみに信号を発するように、モーション・センサーを備えることが好ましい。あるいは、電子装置５６１は、モーション・センサー、タイマー、ＬＥＤ、ブザーおよびバイブレーターのいずれの組み合わせを備えてもよい。
【実施例１７】
【０１８８】
図１７は、本発明の第１７の実施例によるファスナー備品のベル１６１を示す。図１７に示されるベル１６１の本体１６２と玉１６３は、図１Ａのベル１０１の本体１０２と玉１０３と全く同じである。ベル１６１には、金属リング１６４を介して安全ピン１６５が備えられている。これによってベル１６１は、布地への取り付けが極めて容易となる。
【実施例１８】
【０１８９】
一方、図１８は、本発明の第１８の実施例によるファスナー備品のベル１７１を示す。図１８に示されるベル１７１の本体１７２と玉１７３もまた、図１Ａのベル１０１の本体１０２と玉１０３と全く同じである。ベル１７１には、金属リング１７４を介して縫い代１７５が取り付けられている。縫い代１７５を布地に縫い付けるかまたは接着剤で貼り付ければ、ベル１７１は容易に布地に取り付けることができる。
【０１９０】
以上の第１７および第１８の実施例によるベル１６１および１７１は、もちろん、図１Ｂに示されているサイレンサー２０１と同様の働きをするサイレンサーと共に用いることができる。また、これらのベルは、ファスナーに磁石を用いている衣料品や鞄に単独で取り付けて使用することも可能であり、その一例が以下の第１９の実施例に示されている。
【実施例１９】
【０１９１】
図１９は、本発明の第１９の実施例による手提げ鞄４５１を示す。この手提げ鞄４５１には、前記第１７の実施例によるベル１６１が取り付けられている。手提げ鞄４５１は、収容部４５２の上部に開口を有し、その開口を挟んで相互に向い合う側に、磁石シート４５３と鉄材シート４５４がそれぞれ取り付けられている。この開口は、磁石シート４５３と鉄材シート４５４とが相互に吸引することで閉じられる。ここで、磁石シート４５３と鉄材シート４５４とは、手提げ鞄４５１の表地と裏地との間に挟まれていて表面上に見えるものではない。
【０１９２】
このような手提げ鞄４５１の鉄材シート４５４と重なる位置に、安全ピン１６５を使ってベル１６１を取り付ける。そうすると、手提げ鞄４５１の開口を閉じたときに、磁石シート４５３がベル１６１を吸引してベル１６１が音を立てなくなる。これにより手提げ鞄４５１の開口の閉め忘れが防止できる。なお、図１９では、ベル１６１が手提げ鞄４５１の内側に取り付けられているが、磁石シート４５３の磁力が充分に強ければ、ベル１６１を手提げ鞄４５１の外側に取り付けても同様の効果がある。更に、ベル１６１に代えて、前述の第１８の実施例によるベル１７１を、手提げ鞄４５１に取り付けることも可能である。
【実施例２０】
【０１９３】
図２０Ａおよび図２０Ｂは、本発明の第２０の実施例によるファスナー備品の電子装置１８１を示す。図２０Ａおよび図２０Ｂは、電子装置１８１を一方の側およびそれとは違う側から見た斜視図である。
【０１９４】
電子装置１８１は、比較的柔軟性に富んだプラスチックからなる筺体１８２と、弾性に富んだ金属板１８３とが貼り合わされて構成されている。金属板１８３は、断面がＲ字型で、クリップとして間にシート状のものを挟むことができる。これによって、電子装置１８１を、鞄の開口の縁やカバーの縁等に取り付けることが可能となる。電子装置１８１の一方の側において、筺体１８２の窪み１８７の中にＬＥＤ１８８が設けられている。電子装置１８１の他方の側には、穴１８５を通る突起１８６が備えられている。
【０１９５】
この突起１８６は、少なくとも突起１８６の頂部が筺体１８２の表面と同一平面上に位置するまで、筺体１８２の中に押し込めることが可能である。ただし、突起１８６に何の力も働いていなければ、この突起１８６の頂部は、筺体１８２よりも外に突出している。
【０１９６】
筺体１８２の内部には、この突起１８６と連動するスイッチ、ＬＥＤ１８８を搭載する回路基板および電池が収容されている。そうして、突起１８６が押されていなければスイッチがオンとなっていてＬＥＤ１８８は点灯または点滅しており、突起１８６が押されるとスイッチがオフとなってＬＥＤ１８８が消灯する。以上のように構成される電子装置１８１は、ファスナー備品として、衣料品や鞄に取り付けられる。ここでは、電子装置１８１を、手提げ鞄４６１に取り付けている例を以下に実施例２１として示す。
【０１９７】
第２０の実施例による電子装置１８１は、前記第１４乃至第１６の実施例の電子装置１５１、５５１および５６１と同様、更に、動きを検知するセンサー、タイマーまたはその双方が備えられてもよく、また、ＬＥＤ１８８に代えて、音を発するブザー、振動を送り出すバイブレーターまたはＬＥＤ、ブザーおよびバイブレーターの２つ以上の組み合わせを備えてもよい。
【実施例２１】
【０１９８】
図２１は、本発明の第２１の実施例による手提げ鞄４６１を示す。手提げ鞄４６１は、収容部４６２の上部に開口を有し、その開口を挟んで相互に向い合う側に、面ファスナー４６５の一方の布４６３と他方の布４６４がそれぞれ取り付けられている。それによって、この開口は、面ファスナー４６５で開閉されるものとなっている。ここで、面ファスナー４６５は、多数のプラスチック繊維の輪（ループ）で表面層が形成される布４６３と、多数のプラスチックの鉤（フック）で表面層が形成される布４６４との組み合わせによって構成されている。
【０１９９】
このような手提げ鞄４６１において、面ファスナー４６５の布４６４の近隣に電子装置１８１を取り付ける。電子装置１８１は、開口の縁を金属板１８３の間に差し込んで鞄４６１に取り付けられるが、突起１８６が開口内に位置している。そうすると、手提げ鞄４６１の開口を閉じたときに、電子装置１８１と向い合う側の開口の縁によって突起１８６が押し下げられ、ＬＥＤ１８８が消灯する。一方、開口が開いていれば、突起１８６が押されないので、ＬＥＤ１８８は点灯または点滅している。これによって、手提げ鞄４６１の開口の閉め忘れが防止できる。
【０２００】
なお、図２１では、手提げ鞄４６１の開口を開け閉めするために、面ファスナー４６５が用いられているが、第１３の実施例の電子装置１８１は、図１３Ｃの手提げ鞄４５１のような、磁石シートを利用した面ファスナーを有する衣料品や鞄にも同様に取り付けて使用することが可能である。
【０２０１】
以上のとおり、本発明は、第１乃至第２１の実施例およびそれらに関していくつかの変形例を挙げて説明されているが、本発明は、それらの実施例または変形例に限定されるものではない。本明細書の記述に基づいて、第１乃至第２１の実施例またはそれらの変形例を更に変形し、あるいは適宜組み合わせて別の実施例を作り出すことは、当業者であれば任意に行い得ることは明らかである。本発明の範囲は、特許請求の範囲の記載によって定義されており、特許請求の範囲の記載と意味が均等である発明および発明の範囲内に含まれる実施例および変形例を全て含むことを意図するものである。
【図面の簡単な説明】
【０２０２】
【図１Ａ】本発明の第１の実施例による、ファスナー備品のベルを示す。
【図１Ｂ】本発明の第１の実施例による、ファスナー備品のサイレンサーを示す。
【図２Ａ】本発明の第２の実施例による、ファスナー備品を備えたスライド・ファスナーが開いている状態を示す。
【図２Ｂ】本発明の第２の実施例による、ファスナー備品を備えたスライド・ファスナーが閉じられている状態を示す。
【図３】本発明の第３の実施例による、ファスナー備品を複数個備えたバックパックを示す。
【図４】本発明の第４の実施例による、ファスナー備品を複数個備えたブリーフケースを示す。
【図５Ａ】本発明の第５の実施例による、ファスナー備品のベルを示す。
【図５Ｂ】本発明の第５の実施例による、ファスナー備品のベルを既製のファスナーの金属製スライダーに取り付けるときの様子を示す。
【図５Ｃ】本発明の第５の実施例による、ファスナー備品を取り付けるためのゴムリングを既製のファスナーのスライダーに通した状態を示す。
【図５Ｄ】本発明の第５の実施例による、ファスナー備品のベルを既製のファスナーのスライダーに取り付けた状態を示す。
【図６Ａ】本発明の第６の実施例による、ファスナー備品のベルを示す斜視図である。
【図６Ｂ】本発明の第６の実施例による、ファスナー備品のベルの全部品を示す分解図である。
【図７Ａ】本発明の第７の実施例による、ファスナー備品を備えたスライド・ファスナーが開いている状態を示す。
【図７Ｂ】本発明の第７の実施例による、ファスナー備品を備えたスライド・ファスナーが閉じられている状態を示す。
【図８Ａ】本発明の第８の実施例による、ファスナー備品を備えたハンドバッグを示す斜視図である。
【図８Ｂ】本発明の第８の実施例による、ファスナー備品を備えたハンドバッグの図８Ａの線８Ｂ−８Ｂに沿った断面図である。
【図９Ａ】本発明の第９の実施例による、ファスナー備品を備えたデイパックのカバーが開いている状態を示す斜視図である。
【図９Ｂ】本発明の第９の実施例による、ファスナー備品を備えたデイパックの図９Ａの線９Ｂ−９Ｂに沿った断面図である。
【図９Ｃ】本発明の第９の実施例による、ファスナー備品を備えたデイパックのカバーが閉じられている状態を示す断面図である。
【図１０Ａ】本発明の第１０の実施例による、ファスナー備品を備えた旅行用鞄のスライド・ファスナーを閉めつつある状態を示す斜視図である。
【図１０Ｂ】本発明の第１０の実施例による、ファスナー備品を備えた旅行用鞄の図１０Ａの線１０Ｂ−１０Ｂに沿った部分断面図である。
【図１０Ｃ】本発明の第１０の実施例による、ファスナー備品を備えた旅行用鞄のスライド・ファスナーが閉じられている状態を示す部分断面図である。
【図１１Ａ】本発明の第１１の実施例による、バックルを構成するベルとサイレンサーが相互に分離している状態を示す斜視図である。
【図１１Ｂ】本発明の第１１の実施例による、バックルの、図１１Ａの線１１Ｂ−１１Ｂに沿った断面図である。
【図１１Ｃ】本発明の第１１の実施例による、バックルを構成するベルとサイレンサーが相互に結合している状態を示す断面図である。
【図１２】本発明の第１２の実施例による、首掛ストラップを示す。
【図１３Ａ】本発明の第１３の実施例による、バックルを構成するベルとサイレンサーが相互に分離している状態を示す斜視図である。
【図１３Ｂ】本発明の第１３の実施例による、バックルを構成するベルとサイレンサーの各構成部品を示す分解図である。
【図１３Ｃ】本発明の第１３の実施例による、バックルの、図１３Ａの線１３Ｃ−１３Ｃに沿った断面図である。
【図１３Ｄ】本発明の第１３の実施例による、バックルを構成するベルとサイレンサーが相互に結合している状態を示す断面図である。
【図１４Ａ】本発明の第１４の実施例による、ファスナー備品の電子装置を一方の側から見た斜視図である。
【図１４Ｂ】本発明の第１４の実施例による、ファスナー備品の電子装置を図１４Ａとは反対の側から見た斜視図である。
【図１４Ｃ】本発明の第１４の実施例による、ファスナー備品の信号変更器の斜視図である。
【図１４Ｄ】本発明の第１４の実施例による、ファスナー備品の電子装置と信号変更器とがくっ付き合った状態を示す側面図である。
【図１５Ａ】本発明の第１５の実施例による、ファスナー備品の電子装置と信号変更器の模式断面図であり、電子装置と信号変換器とが相互に分離している状態を示す。
【図１５Ｂ】本発明の第１５の実施例による、ファスナー備品の電子装置と信号変更器の模式断面図であり、電子装置と信号変換器とが相互に結合している状態を示す。
【図１６Ａ】本発明の第１６の実施例による、ファスナー備品を備えたハンドバッグのカバーが閉められている状態を示す。
【図１６Ｂ】本発明の第１６の実施例による、ファスナー備品を備えたハンドバッグのカバーが開いている状態を示す。
【図１７】本発明の第１７の実施例による、ファスナー備品のベルを示す。
【図１８】本発明の第１８の実施例による、ファスナー備品のベルを示す。
【図１９】本発明の第１９の実施例による、ファスナー備品のベルを備えた手提げ鞄を示す。
【図２０Ａ】本発明の第２０の実施例による、ファスナー備品の電子装置を一方の側から見た斜視図である。
【図２０Ｂ】本発明の第２０の実施例による、ファスナー備品の電子装置を図２０Ａとは異なる側から見た斜視図である。
【図２１】本発明の第２１の実施例による、ファスナー備品の電子装置を備えた手提げ鞄を示す。
【符号の説明】
【０２０３】
１０１，１１１，１２１，１３２，１６１，１７１，５０１，５２１，５３１，６３１
ベル
１０２，１１２，１２２，１６２，１７２，５０２，５２２，５３２    ベルの本体
１０３，１１３，１２３，１６３，１７３，５０３，６３３    玉
１０４，１４４，１５４，２０４，２４４，２５４，３８３，５５９，６５４    細紐
１０５，５０５，６３６ スリット
１１４，１２４，１３４，１６４，１７４    金属リング
１１５，５０６    フック
１１８    ゴムリング
１３３    鋲
１３５，２３４，４２３，７２４    ストラップ
１３６，１５５，１８５，３７４，５０７，５０８，５２５，５２６，５２８，５３５，５３６，６２５，６３５    穴
１４１    チャイム
１４２    金属パイプ
１５１，１８１，５５１，５６１    電子装置
１５２，１８２，２５２，５５２，５６２，６５２    筺体
１５３，６６１，６５３    軟鉄板
１５６，１８６，２３３，６２３    突起
１５７，１８７    窪み
１５８，１８８，５５８，５６８    ＬＥＤ
１６５    安全ピン
１７５    縫い代
２０１，２３１，６２１    サイレンサー
２０２，６２２    サイレンサーの本体
２０３，２５３，５５３    フェライト磁石
２０５，２５５，５５４，５５５，５６４，５６５    ヨーク
２１１，４５３    磁石シート
２２１    ネオジム磁石
２４２，３７３，３８４，４４３，４４４，７０３，７０５    つまみ
２５１，６５１    信号変更器
３０１，３１１，３２１，３３１，３４１，３５１，３６１，３７１，３８１，３９１，７０１    スライド・ファスナー
３０２，３０３，３１２，３２２，３７２，３８２，３９２，７０２，７０４    スライダー
３０４，４３４，５２７，５３７，７０６    開口
３４３，４６５    面ファスナー
４０１    バックパック
４０２，４３２，４４２，４５２，４６２    収容部
４０３，４０４    ポケット
４１１    ブリーフケース
４２１    ショルダーバッグ
４２２，８６３    バッグ本体
４３１    デイパック
４３３，８６２    カバー
４４１    旅行用鞄
４５１，４６１  手提げ鞄
４５４    鉄材シート
５０４，５２４，５３４，６２４，６３４，７２５ 二重リング
５２３，５３３ 舌
５５６ リードスイッチ
７５１ ガラス管
７５２，７５３ 舌片
８２１ 携帯電話
８２２ 鍵
８６１ ハンドバッグ
2007535336.tif 000003
2007535336.tif 000004
2007535336.tif 000005
2007535336.tif 000006
【図３】
2007535336.tif 000007
【図４】
2007535336.tif 000008
2007535336.tif 000009
2007535336.tif 000010
2007535336.tif 000011
2007535336.tif 000012
2007535336.tif 000013
2007535336.tif 000014
2007535336.tif 000015
2007535336.tif 000016
2007535336.tif 000017
2007535336.tif 000018
2007535336.tif 000019
2007535336.tif 000020
2007535336.tif 000021
2007535336.tif 000022
2007535336.tif 000023
2007535336.tif 000024
2007535336.tif 000025
2007535336.tif 000026
【図１２】
2007535336.tif 000027
2007535336.tif 000028
2007535336.tif 000029
2007535336.tif 000030
2007535336.tif 000031
2007535336.tif 000032
2007535336.tif 000033
2007535336.tif 000034
2007535336.tif 000035
2007535336.tif 000036
2007535336.tif 000037
2007535336.tif 000038
2007535336.tif 000039
【図１７】
2007535336.tif 000040
【図１８】
2007535336.tif 000041
【図１９】
2007535336.tif 000042
2007535336.tif 000043
2007535336.tif 000044
【図２１】
2007535336.tif 000045
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
使用者に対してアラート指示を出すアラート装置であって、該装置は、物品を結び付ける（閉じる）ファスナー備品に組み込まれているか取り付けられるためのものであり、
前記装置は、合わさったり離れたりすることの可能な、第１および第２の構成要素を備えており、該第１および第２の構成要素が合わさっているときに、該物品が結び付いた（閉じた）位置にあり、
該構成要素の少なくとも一方が、使用者に対してアラート指示を出すものとされ、該第１および第２の構成要素が相互に隣接するか近隣にあるときは常に、前記アラート指示が抑制される
アラート装置。
【請求項２】
前記構成要素の少なくとも一方が、前記アラート指示を出すのに、舌または玉を有するベルを含む請求項１に記載のアラート装置。
【請求項３】
該第１および第２の構成要素が相互に隣接するか近隣にあるときは常に、前記舌または玉の動きが抑制される請求項２に記載のアラート装置。
【請求項４】
該ファスナー備品が、閉じている物品において開口を結び付ける（閉じる）ためのもので、前記第１および第２の構成要素が、該開口を閉じるために合わさることが可能で、かつ該開口を開けるために離れることが可能である前記請求項のいずれかに記載のアラート装置。
【請求項５】
該ファスナー備品が、第１および第２の部材を結合させる（閉じ合わせる）ためのもので、前記第１および第２の構成要素が、前記第１および第２の部材を結び付けるために合わさることが可能で、かつ前記第１および第２の部材を外すために離れることが可能である請求項１、２または３に記載のアラート装置。
【請求項６】
前記構成要素の少なくとも一方が、磁力によって前記アラート指示を抑制する磁気手段を有する前記請求項のいずれかに記載のアラート装置。
【請求項７】
前記構成要素の少なくとも一方が、機械的な作用によって前記アラート指示を抑制する機械手段を有する請求項１乃至５のいずれかに記載のアラート装置。
【請求項８】
前記構成要素の一方が、前記アラート指示を出すのに、光、音、振動又はそれらの組み合わせのいずれかを発するように動作可能な電子装置を含む請求項１および４乃至７のいずれかに記載のアラート装置。
【請求項９】
前記構成要素の双方が、アラート指示を出すものされる前記請求項のいずれかに記載のアラート装置。
【請求項１０】
前記構成要素は、磁力によって接続し合える前記請求項のいずれかに記載のアラート装置。
【請求項１１】
前記構成要素は、面ファスナーまたはバックルによって接続し合える前記請求項のいずれかに記載のアラート装置。
【請求項１２】
前記構成要素の少なくとも一方が、着用品または携帯品に組み込まれているスライド・ファスナーのスライダーに接続可能である前記請求項のいずれかに記載のアラート装置。
【請求項１３】
前記第１の構成要素が第１のスライダーに接続可能であり、かつ前記第２の構成要素が第２のスライダーに接続可能である請求項１２に記載のアラート装置。
【請求項１４】
前記第１の構成要素が、着用品または携帯品に組み込まれているスライド・ファスナーのスライダーに接続可能であり、かつ前記第２の構成要素が、前記着用品または携帯品において、前記着用品または携帯品に対して固定される位置に配置できる請求項１乃至１２のいずれかに記載のアラート装置。
【請求項１５】
前記スライド・ファスナーがジッパーである請求項１２、１３または１４に記載のアラート装置。
【請求項１６】
前記物品が、携帯品または着用品である前記請求項のいずれかに記載のアラート装置。
【請求項１７】
使用者に対してアラート指示を出すアラート装置であって、該装置は、物品の開口を閉じるファスナー備品に組み込まれているか取り付けられるためのものであり、
前記装置は、前記開口を閉じるために合わさり、前記開口を開けるために離れることが可能な、第１および第２の構成要素を備えており、
該構成要素の少なくとも一方が、使用者に対してアラート指示を出すものとされ、該第１および第２の構成要素が相互に隣接するか近隣にあるときは常に、前記アラート指示が抑制される
アラート装置。
【請求項１８】
物品を結び付ける（閉じる）ファスナー備品に組み込まれるか取り付けられるかするための、使用者に対してアラート指示を出すアラート装置であって、
前記装置は、合わさったり離れたりすることの可能な、第１および第２の構成要素を備えており、該ファスナー備品に組み込まれるか取り付けられるかして、該第１および第２の構成要素が合わさっているときに、該物品が結び付いた（閉じた）位置にあり、
該構成要素の少なくとも一方が、使用者に対してアラート指示を出すものとされ、該第１および第２の構成要素が相互に隣接するか近隣にあるときは常に、前記アラート指示が抑制される
アラート装置。
【国際調査報告】
2007535336.tif 000046
2007535336.tif 000047
2007535336.tif 000048
2007535336.tif 000049